(57)【要約】ヘテロジニアスな通信システムによって、フェムト・アクセス・ポイント（ＡＰ）は、例えば、マルチ・モード・モバイル・デバイス（例えば、複数のＲＡＴで動作可能なモバイル・デバイス）による受信のために、第１のラジオ・アクセス技術（ＲＡＴ）においてハンドオフ関連情報を通知できるようになる。ここで、ハンドオフ関連情報によって、マルチ・モード・モバイル・デバイスは、第２のＲＡＴでフェムト・アクセス・ポイントを識別できるようになる。マルチ・モード・モバイル・デバイスは、接続（例えば、第２のＲＡＴにおけるフェムト・アクセス・ポイントへの接続）のために第２のＲＡＴでオーバヘッド・メッセージを独立して読取／復号しながら、無線広域ネットワーク（ＷＷＡＮ）エア・インタフェース（例えば、１ｘ、ＨＲＰＤ、ｅＨＲＰＤ）を介して、第１のＲＡＴを用いて、マクロ・ノード（例えば、マクロ基地局、イボルブド・ベース・ノード等）に接続されうる。第２のＲＡＴは、別のＷＷＡＮ、無線ローカル・エリア・ネットワーク（ＷＬＡＮ）またはパーソナル・アクセス・ネットワークでありうる。
2013502177.tif 000002
【特許請求の範囲】
【請求項１】
エア・インタフェースによって接続された移動局の、ヘテロジニアスなネットワークにおけるハンドオフの実行のための方法であって、
第１のラジオ・アクセス技術を用いて、移動局によって、ソース・ノードへ接続することと、
第２のラジオ・アクセス技術を用いて、ターゲット・ノードからの信号を検出することと、
前記ソース・ノードから前記ターゲット・ノードへのハンドオフを実行することと、
を備える方法。
【請求項２】
前記第１のラジオ・アクセス技術を用いることと同時に、前記第２のラジオ・アクセス技術を用いて、前記ターゲット・ノードからの信号を検出することをさらに備える、請求項１に記載の方法。
【請求項３】
前記第１のラジオ・アクセス技術を用いることと同時に、前記第２のラジオ・アクセス技術を用いて、前記ターゲット・ノードからの信号を検出することはさらに、前記ターゲット・ノードのユニークな識別子を検出することを備える、請求項１に記載の方法。
【請求項４】
前記第１のラジオ・アクセス技術によってハンドオフのためのターゲット・ノードのユニークな識別子を検出すること、をさらに備える、請求項３に記載の方法。
【請求項５】
前記第１のラジオ・アクセス技術を用いることと同時に、前記第２のラジオ・アクセス技術を用いて、前記ターゲット・ノードからの信号を検出することはさらに、１ｘエア・インタフェースからアクセス・ポイント識別情報メッセージを検出することを備える、請求項４に記載の方法。
【請求項６】
前記第１のラジオ・アクセス技術を用いることと同時に、前記第２のラジオ・アクセス技術を用いて、前記ターゲット・ノードからの信号を検出することはさらに、ＬＴＥエア・インタフェースからシステム情報ブロックを検出することを備える、請求項１に記載の方法。
【請求項７】
前記第１のラジオ・アクセス技術を用いることと同時に、前記第２のラジオ・アクセス技術を用いて、前記ターゲット・ノードからの信号を検出することはさらに、ラジオ・アクセス技術、モバイル交換局、およびラジオ・アクセス・ネットワーク・セルのタイプの識別子を検出することを備える、請求項１に記載の方法。
【請求項８】
前記第１のラジオ・アクセス技術を用いることと同時に、前記第２のラジオ・アクセス技術を用いて、前記ターゲット・ノードからの信号を検出することはさらに、パイロット擬似雑音符号のグループの通知を検出することを備える、請求項１に記載の方法。
【請求項９】
前記検出された信号からの識別情報を含むパイロット強度測定レポートを、前記ソース・ノードへ送信することをさらに備える、請求項１に記載の方法。
【請求項１０】
前記第１のラジオ・アクセス技術および前記第２のラジオ・アクセス技術はおのおの、無線広域ネットワーク、無線ローカル・アクセス・ネットワーク、および無線パーソナル・アクセス・ネットワークからなるグループから選択される、請求項１に記載の方法。
【請求項１１】
前記第１のラジオ・アクセス技術を用いることと同時に、前記第２のラジオ・アクセス技術を用いて、前記ターゲット・ノードからの信号を検出することはさらに、ターゲット・モバイル交換局識別子およびターゲット・セル識別子のユニークな値を含むオーバヘッド・チャネルを検出することを備え、
前記ソース・ノードから前記ターゲット・ノードへのアクティブなハンドオフを実行することはさらに、前記ユニークな値を用いて、ハード・ハンドオーバを実行することを備える、請求項１に記載の方法。
【請求項１２】
前記ソース・ノードはマクロセルを備え、前記ターゲット・ノードはフェムトセルを備える、請求項１に記載の方法。
【請求項１３】
第１のラジオ・アクセス技術を用いて、前記移動局によって、前記ソース・ノードへ接続することと、前記第２のラジオ・アクセス技術を用いて、前記ターゲット・ノードからの信号を検出することとはさらに、トラフィック接続を確立するためにアイドルなラジオ・アクセス技術へのアクセスをトリガすることと、データ・メッセージによって通信されたハンドオフ情報を検出することとを備える、請求項１に記載の方法。
【請求項１４】
前記データ・メッセージによって通信されたハンドオフ情報を検出することはさらに、インターネット・プロトコル（ＩＰ）サービス・ディスカバリ・プロトコル中に情報を交換することを備える、請求項１３に記載の方法。
【請求項１５】
前記ＩＰサービス・ディスカバリ・プロトコルは、ユニバーサル・プラグ・アンド・プレイ（ＵＰｎＰ）を備える、請求項１４に記載の方法。
【請求項１６】
前記第１のラジオ・アクセス技術を用いることと同時に、前記第２のラジオ・アクセス技術を用いて、前記ターゲット・ノードから信号を検出することはさらに、前記移動局において、少なくとも部分的に前記信号を復調することを備える、請求項１に記載の方法。
【請求項１７】
前記移動局において、少なくとも部分的に前記信号を復調することは、前記第１のラジオ・アクセス技術に使用されている受信機チェーンを利用することを備える、請求項１６に記載の方法。
【請求項１８】
前記移動局において、少なくとも部分的に前記信号を復調することは、前記第１のラジオ・アクセス技術によって使用されているレーキ受信機における復調フィンガを利用することを備える、請求項１６に記載の方法。
【請求項１９】
エア・インタフェースによって接続された移動局の、ヘテロジニアスなネットワークにおけるハンドオフの実行のための少なくとも１つのプロセッサであって、
第１のラジオ・アクセス技術を用いることを実行するために、移動局によるソース・ノードへの接続を行うための第１のモジュールと、
第２のラジオ・アクセス技術を用いて、ターゲット・ノードからの信号を検出するための第２のモジュールと、
前記ソース・ノードから前記ターゲット・ノードへのハンドオフを実行するための第３のモジュールと、
を備える少なくとも１つのプロセッサ。
【請求項２０】
エア・インタフェースによって接続された移動局の、ヘテロジニアスなネットワークにおけるハンドオフの実行のためのコンピュータ・プログラム製品であって、
コンピュータに対して、第１のラジオ・アクセス技術を用いることを実行するために、移動局によって、ソース・ノードへの接続を実行させるための第１のコードのセットと、
前記コンピュータに対して、第２のラジオ・アクセス技術を用いて、ターゲット・ノードからの信号を検出させるための第２のコードのセットと、
前記コンピュータに対して、前記ソース・ノードから前記ターゲット・ノードへのハンドオフを実行するための第３のコードのセットと、
を備えるコードをセットを格納する非一時的なコンピュータ読取可能な媒体を備える、コンピュータ・プログラム製品。
【請求項２１】
エア・インタフェースによって接続された移動局の、ヘテロジニアスなネットワークにおけるハンドオフの実行のための装置であって、
第１のラジオ・アクセス技術を用いることを実行するために、移動局によって、ソース・ノードへの接続を行う手段と、
第２のラジオ・アクセス技術を用いて、ターゲット・ノードからの信号を検出する手段と、
前記ソース・ノードから前記ターゲット・ノードへのハンドオフを実行する手段と、
を備える装置。
【請求項２２】
エア・インタフェースによって接続された移動局の、ヘテロジニアスなネットワークにおけるハンドオフの実行のための装置であって、
第１のラジオ・アクセス技術を用いることを実行するために、移動局によって、ソース・ノードへの接続を行うための第１のトランシーバと、
第２のラジオ・アクセス技術を用いて、ターゲット・ノードからの信号を検出するための第２のトランシーバと、
前記ソース・ノードから前記ターゲット・ノードへのハンドオフを実行するためのコンピューティング・プラットフォームと、
を備える装置。
【請求項２３】
前記第２のトランシーバはさらに、前記第１のラジオ・アクセス技術を用いることと同時に、前記第２のラジオ・アクセス技術を用いて、前記ターゲット・ノードからの信号を検出する、請求項２２に記載の装置。
【請求項２４】
前記第２のトランシーバはさらに、前記ターゲット・ノードのユニークな識別子を検出することによって、前記第２のラジオ・アクセス技術を用いて、前記ターゲット・ノードからの信号を検出する、請求項２２に記載の装置。
【請求項２５】
前記第１のトランシーバはさらに、前記第１のラジオ・アクセス技術によるハンドオフのため、前記ターゲット・ノードのユニークな識別子を検出する、請求項２４に記載の装置。
【請求項２６】
前記第２のトランシーバはさらに、１ｘエア・インタフェースからアクセス・ポイント識別情報メッセージを検出することにより、前記第２のラジオ・アクセス技術を用いて、前記ターゲット・ノードからの信号を検出する、請求項２５に記載の装置。
【請求項２７】
前記第２のトランシーバはさらに、ＬＴＥエア・インタフェースからのシステム情報ブロックを検出することにより、前記第２のラジオ・アクセス技術を用いて、前記ターゲット・ノードからの信号を検出する、請求項２２に記載の装置。
【請求項２８】
前記第２のトランシーバはさらに、ラジオ・アクセス技術、モバイル交換局、およびラジオ・アクセス・ネットワーク・セルのタイプの識別子を検出することによって、前記第２のラジオ・アクセス技術を用いて、前記ターゲット・ノードからの信号を検出する、請求項２２に記載の装置。
【請求項２９】
前記第２のトランシーバはさらに、パイロット擬似雑音符号のグループの通知を検出することによって、前記第２のラジオ・アクセス技術を用いて、前記ターゲット・ノードからの信号を検出する、請求項２２に記載の装置。
【請求項３０】
前記第１のトランシーバはさらに、前記検出された信号からの識別情報を含むパイロット強度測定レポートを、前記ソース・ノードへ送信する、請求項２２に記載の装置。
【請求項３１】
前記第１のラジオ・アクセス技術および前記第２のラジオ・アクセス技術はおのおの、無線広域ネットワーク、無線ローカル・アクセス・ネットワーク、および無線パーソナル・アクセス・ネットワークからなるグループから選択される、請求項２２に記載の装置。
【請求項３２】
前記第２のトランシーバはさらに、ターゲット・モバイル交換局識別子およびターゲット・セル識別子のユニークな値を含むオーバヘッド・チャネルを検出することによって、前記第２のラジオ・アクセス技術を用いて前記ターゲット・ノードからの信号を検出し、
前記ソース・ノードから前記ターゲット・ノードへのアクティブなハンドオフを実行することはさらに、前記ユニークな値を用いて、ハード・ハンドオーバを実行することを備える、請求項２２に記載の装置。
【請求項３３】
前記ソース・ノードはマクロセルを備え、前記ターゲット・ノードはフェムトセルを備える、請求項２２に記載の装置。
【請求項３４】
前記第１のトランシーバはさらに、前記第１のラジオ・アクセス技術を用いて、前記移動局によって、前記ソース・ノードへ接続し、
前記コンピューティング・プラットフォームはさらに、トラフィック接続を確立するためにアイドルなラジオ・アクセス技術をトリガし、データ・メッセージによって通信されたハンドオフ情報を検出することによって、前記第２のラジオ・アクセス技術を用いて、前記ターゲット・ノードからの信号を検出する、請求項２２に記載の装置。
【請求項３５】
前記コンピューティング・プラットフォームはさらに、インターネット・プロトコル（ＩＰ）サービス・ディスカバリ・プロトコル中に情報を交換することによって、前記データ・メッセージによって通信されたハンドオフ情報を検出する、請求項３４に記載の装置。
【請求項３６】
前記コンピューティング・プラットフォームはさらに、ユニバーサル・プラグ・アンド・プレイ（ＵＰｎＰ）を備える、ＩＰサービス・ディスカバリ・プロトコル中の情報の交換を行う、請求項３５に記載の装置。
【請求項３７】
前記コンピューティング・プラットフォームはさらに、前記移動局において、少なくとも部分的に前記信号を復調することによって、前記第２のラジオ・アクセス技術を用いて、前記ターゲット・ノードからの信号を検出する、請求項２２に記載の装置。
【請求項３８】
前記移動局において、少なくとも部分的に前記信号を復調することは、前記第１のラジオ・アクセス技術によって使用されている受信機チェーンを利用することを備える、請求項３７に記載の装置。
【請求項３９】
前記移動局において、少なくとも部分的に前記信号を復調することは、前記第１のラジオ・アクセス技術によって使用されているレーキ受信機を利用することを備える、請求項３７に記載の装置。
【請求項４０】
エア・インタフェースによって接続された移動局の、ヘテロジニアスなネットワークにおけるハンドオフを実行するための方法であって、
ターゲット・ノードによって、第１のラジオ・アクセス技術によるメッセージでハンドオフ情報を送信することと、ここで、前記ハンドオフ情報は、第２のラジオ・アクセス技術で前記ターゲット・ノードに接続するための情報を含む、
前記ターゲット・ノードにおいて、前記第１のラジオ・アクセス技術によるメッセージによるハンドオフ情報に基づいて、前記第２のラジオ・アクセス技術におけるソース・ノードから、移動局のアクティブ・コールのハンドオフを、前記第２のラジオ・アクセス技術で受信することと、
を備える方法。
【請求項４１】
前記ハンドオフ情報は、前記第１のラジオ・アクセス技術で前記ターゲット・ノードへ接続するための、前記ターゲット・ノードのユニークな識別子を含む、請求項４０に記載の方法。
【請求項４２】
前記ターゲット・ノードによって、前記第１のラジオ・アクセス技術によるメッセージでハンドオフ情報を送信することは、１ｘエア・インタフェースによってアクセス・ポイント識別情報メッセージを送信することを備える、請求項４０に記載の方法。
【請求項４３】
前記ターゲット・ノードによって、前記第１のラジオ・アクセス技術によるメッセージでハンドオフ情報を送信することはさらに、ＬＴＥエア・インタフェースによってシステム情報ブロックを送信することを備える、請求項４０に記載の方法。
【請求項４４】
前記ターゲット・ノードによって、前記第１のラジオ・アクセス技術によるメッセージでハンドオフ情報を送信することはさらに、ラジオ・アクセス技術、モバイル交換局、およびラジオ・アクセス・ネットワーク・セルのタイプの識別子を送信することを備える、請求項４０に記載の方法。
【請求項４５】
前記ターゲット・ノードによって、前記第１のラジオ・アクセス技術によるメッセージでハンドオフ情報を送信することはさらに、パイロット擬似雑音符号のグループの通知を送信することを備える、請求項４０に記載の方法。
【請求項４６】
被サービス提供移動局からパイロット強度測定レポートを受信することと、
前記被サービス提供移動局の前記ソース・ノードへのハンドオフを開始することと、
をさらに備える請求項４０に記載の方法。
【請求項４７】
前記第１のラジオ・アクセス技術および前記第２のラジオ・アクセス技術はおのおの、無線広域ネットワーク、無線ローカル・アクセス・ネットワーク、および無線パーソナル・アクセス・ネットワークからなるグループから選択される、請求項４０に記載の方法。
【請求項４８】
前記ターゲット・ノードによって、前記第１のラジオ・アクセス技術によるメッセージでハンドオフ情報を送信することはさらに、ターゲット・モバイル交換局識別子およびターゲット・セル識別子のユニークな値を含むオーバヘッド・チャネルを検出することを備え、
前記ソース・ノードから前記ターゲット・ノードへのアクティブなハンドオフを実行することはさらに、前記ユニークな値を用いて、ハード・ハンドオーバを実行することを備える、請求項４０に記載の方法。
【請求項４９】
前記ソース・ノードはマクロセルを備え、前記ターゲット・ノードはフェムトセルを備える、請求項４０に記載の方法。
【請求項５０】
エア・インタフェースによって接続された移動局の、ヘテロジニアスなネットワークにおけるハンドオフの実行のための少なくとも１つのプロセッサであって、
ターゲット・ノードによって、第１のラジオ・アクセス技術によるメッセージでハンドオフ情報を送信するための第１のモジュールと、ここで、前記ハンドオフ情報は、第２のラジオ・アクセス技術で前記ターゲット・ノードに接続するための情報を含む、
前記ターゲット・ノードにおいて、前記第１のラジオ・アクセス技術によるメッセージによるハンドオフ情報に基づいて、前記第２のラジオ・アクセス技術によるソース・ノードから、移動局のアクティブ・コールのハンドオフを、前記第２のラジオ・アクセス技術によって受信するための第２のモジュールと、
を備える少なくとも１つのプロセッサ。
【請求項５１】
エア・インタフェースによって接続された移動局の、ヘテロジニアスなネットワークにおけるハンドオフの実行のためのコンピュータ・プログラム製品であって、
コンピュータに対して、ターゲット・ノードによって、第１のラジオ・アクセス技術によるメッセージでハンドオフ情報を送信させるための第１のコードのセットと、ここで、前記ハンドオフ情報は、第２のラジオ・アクセス技術によって前記ターゲット・ノードに接続するための情報を含む、
前記コンピュータに対して、前記ターゲット・ノードにおいて、前記第１のラジオ・アクセス技術によるメッセージによるハンドオフ情報に基づいて、前記第２のラジオ・アクセス技術によるソース・ノードから、移動局のアクティブ・コールのハンドオフを、前記第２のラジオ・アクセス技術で受信させるための第２のコードのセットと、
を備えるコードのセットを格納する非一時的なコンピュータ読取可能な媒体を備える、コンピュータ・プログラム製品。
【請求項５２】
エア・インタフェースによって接続された移動局の、ヘテロジニアスなネットワークにおけるハンドオフの実行のための装置であって、
ターゲット・ノードにおいて、第１のラジオ・アクセス技術によるメッセージでハンドオフ情報を送信する手段と、ここで、前記ハンドオフ情報は、第２のラジオ・アクセス技術によって前記ターゲット・ノードに接続するための情報を含む、
前記ターゲット・ノードにおいて、前記第１のラジオ・アクセス技術によるメッセージによるハンドオフ情報に基づいて、前記第２のラジオ・アクセス技術によるソース・ノードから、移動局のアクティブ・コールのハンドオフを、前記第２のラジオ・アクセス技術で受信する手段と、
を備える装置。
【請求項５３】
エア・インタフェースによって接続された移動局の、ヘテロジニアスなネットワークにおけるハンドオフの実行のための装置であって、
ターゲット・ノードによって、第１のラジオ・アクセス技術によるメッセージでハンドオフ情報を送信する第１のトランシーバと、ここで、前記ハンドオフ情報は、第２のラジオ・アクセス技術によって前記ターゲット・ノードに接続するための情報を含む、
前記ターゲット・ノードにおいて、前記第１のラジオ・アクセス技術によるメッセージによるハンドオフ情報に基づいて、前記第２のラジオ・アクセス技術におけるソース・ノードから、移動局のアクティブ・コールのハンドオフを、前記第２のラジオ・アクセス技術で受信する第２のトランシーバと、
を備える装置。
【請求項５４】
前記ハンドオフ情報は、前記第１のラジオ・アクセス技術によって前記ターゲット・ノードへ接続するための、前記ターゲット・ノードのユニークな識別子を含む、請求項５３に記載の装置。
【請求項５５】
前記第１のトランシーバはさらに、１ｘエア・インタフェースを介してアクセス・ポイント識別情報メッセージを送信することによって、前記ターゲット・ノードによって、前記第１のラジオ・アクセス技術によるメッセージでハンドオフ情報を送信する、請求項５４に記載の装置。
【請求項５６】
前記第１のトランシーバはさらに、ＬＴＥエア・インタフェースによってシステム情報ブロックを送信することによって、前記ターゲット・ノードによって、前記第１のラジオ・アクセス技術によるメッセージでハンドオフ情報を送信する、請求項５３に記載の装置。
【請求項５７】
前記第１のトランシーバはさらに、ラジオ・アクセス技術、モバイル交換局、およびラジオ・アクセス・ネットワーク・セルのタイプの識別子を検出することによって、前記ターゲット・ノードによって、前記第１のラジオ・アクセス技術によるメッセージでハンドオフ情報を送信する、請求項５３に記載の装置。
【請求項５８】
前記第１のトランシーバはさらに、パイロット擬似雑音符号のグループの通知を送信することによって、前記ターゲット・ノードによって、前記第１のラジオ・アクセス技術によるメッセージでハンドオフ情報を送信する、請求項５３に記載の装置。
【請求項５９】
前記第２のトランシーバはさらに、被サービス提供移動局からパイロット強度測定レポートを受信し、前記被サービス提供移動局の前記ソース・ノードへのハンドオフを開始する、請求項５３に記載の装置。
【請求項６０】
前記第１のラジオ・アクセス技術および前記第２のラジオ・アクセス技術はおのおの、無線広域ネットワーク、無線ローカル・アクセス・ネットワーク、および無線パーソナル・アクセス・ネットワークからなるグループから選択される、請求項５３に記載の装置。
【請求項６１】
前記第１のトランシーバはさらに、前記ターゲット・ノードによって、前記第１のラジオ・アクセス技術によるメッセージでハンドオフ情報を送信し、ターゲット・モバイル交換局識別子およびターゲット・セル識別子のユニークな値を含むオーバヘッド・チャネルを送信し、
前記第２のトランシーバが、前記ソース・ノードから前記ターゲット・ノードへのアクティブなハンドオフを実行することはさらに、前記ユニークな値を用いて、ハード・ハンドオーバを実行することを備える、請求項５３に記載の装置。
【請求項６２】
前記ソース・ノードはマクロセルを備え、前記ターゲット・ノードはフェムトセルを備える、請求項５３に記載の装置。
【発明の詳細な説明】
【優先権主張】
【０００１】
本特許出願は、本願の譲受人に譲渡され本明細書において参照によって明確に組み込まれた２００９年８月１２日出願の“ハンドオフを通知するシステムおよび方法”（Systems and Methods of Advertising Handoff）と題された米国仮出願６１／２３３，２７６の優先権を主張する。
【技術分野】
【０００２】
本開示は、一般に、無線音声通信に関し、さらに詳しくは、ヘテロジニアスな通信ネットワークにおいて、マクロ・ノードからフェムト・ノードへのハンド・インを実行するための技術に関する。
【背景技術】
【０００３】
無線通信システムは、例えば、音声、データ等のようなさまざまなタイプのコンテンツを提供するために広く開発されてきた。これらのシステムは、（例えば、帯域幅、送信電力等のような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００４】
通常、無線多元接続通信システムは、複数の無線端末のための通信を同時にサポートすることができる。端末はおのおのの、順方向リンクおよび逆方向リンクによる送信を介して１または複数の基地局と通信することができる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システム等によって確立されうる。
【０００５】
ユニバーサル・モバイル・テレコミュニケーション・システム（ＵＭＴＳ）は、第３世代（３Ｇ）セル電話技術のうちの１つである。ＵＭＴＳ地上ラジオ・アクセス・ネットワークの省略であるＵＴＲＡＮは、ＵＭＴＳラジオ・アクセス・ネットワークを形成するノードＢおよびラジオ・ネットワーク・コントローラ（ＲＮＣ）の総称語である。この通信ネットワークは、リアル・タイム交換回路からＩＰベースの交換パケットまでの多くのトラフィック・タイプを伝送しうる。ＵＴＲＡＮは、ＵＥ（ユーザ機器）とコア・ネットワークとの間の接続を可能にする。ＵＴＲＡＮは、ノードＢおよびＲＮＣと呼ばれる基地局を含む。ＲＮＣは、１または複数のノードＢのための制御機能を提供する。ノードＢおよびＲＮＣは、同じデバイスでありうるが、一般的な実装は、複数のノードＢにサービス提供している中央事務所に位置する別のＲＮＣを有する。物理的に分離される必要はないという事実にもかかわらず、Ｉｕｂとして知られたものの間に、論理的なインタフェースが存在する。ＲＮＣおよび対応するノードＢは、ラジオ・ネットワーク・サブシステム（ＲＮＳ）と呼ばれる。ＵＴＲＡＮの中に、複数のＲＮＳが存在する場合がある。
【０００６】
（ＩＭＴマルチ・キャリア（ＩＭＴ  ＭＣ）としても知られている）ＣＤＭＡ２０００は、３Ｇモバイル技術規格のファミリであり、これは、モバイル電話とセル・サイトとの間で音声、データ、およびシグナリング・データを送信するためにＣＤＭＡチャネル・アクセスを用いる。これら規格のセットは、ＣＤＭＡ２０００  １Ｘ、ＣＤＭＡ２０００  ＥＶ−ＤＯ  改訂０、ＣＤＭＡ２０００  ＥＶ−ＤＯ  改訂Ａ、およびＣＤＭＡ２０００  ＥＶ−ＤＯ  改訂Ｂ、を含む。すべては、ＩＴＵのＩＭＴ−２０００のために承認されたラジオ・インタフェースである。ＣＤＭＡ２０００は比較的長い技術的な歴史を持っており、以前の２ＧアイタレーションＩＳ−９５（ｃｄｍａＯｎｅ）との下位互換性を持つ。
【０００７】
１ｘおよび１ｘＲＴＴとしても知られているＣＤＭＡ２０００  １Ｘ（ＩＳ−２０００）は、コアＣＤＭＡ２０００無線エア・インタフェース規格である。ワン・タイム・ラジオ送信技術を意味する“１ｘ”という名称は、ＩＳ−９５と同じＲＦ帯域幅である１．２５ＭＨｚラジオ・チャネルの二重ペアを示す。１ｘＲＴＴは、オリジナルの６４のセットに直交する（直角位相で）さらに６４のトラフィック・チャネルを、順方向リンクに追加することによって、ＩＳ−９５の容量をほぼ２倍にする。１Ｘ規格は、ほとんどの商用アプリケーションにおいて、平均６０−１００ｋｂｐｓであるリアル・ワールド・データ送信を持ち、最大１５３ｋｂｐｓのパケット・データ速度をサポートする。ＩＭＴ−２０００は、さらに、媒体アクセス制御プロトコルおよびリンク・アクセス制御プロトコルおよびサービス品質（ＱｏＳ）を含むデータ・サービスのさらなる利用のために、データ・リンク・レイヤに対する変更を行った。ＩＳ−９５データ・リンク・レイヤは単に、データのために「ベスト・エフォート配信」を、音声のために回路交換チャネル（すなわち、２０ミリ秒毎に１つの音声フレーム）を提供するだけであった。
【０００８】
ＥＶ−ＤＯまたはＥＶとしてしばしば略されるＣＤＭＡ２０００  １ｘＥＶ−ＤＯ（Evolution-Data Optimized）は、一般的にはブロードバンド・インターネット・アクセスのための、ラジオ信号によるデータの無線送信のためのテレコミュニケーション規格である。これは、個々のユーザのスループットとシステム全体のスループットとの両方を最大化するために、符号分割多元接続（ＣＤＭＡ）のみならず、時分割多元接続（ＴＤＭＡ）をも含む多重化技術を用いる。これは、第３世代パートナシップ計画２（３ＧＰＰ２）によって、ＣＤＭＡ２０００規格ファミリの一部として規格化され、特にＣＤＭＡネットワークをすでに適用している世界中の多くのモバイル電話サービス・プロバイダによって採用されている。
【０００９】
３ＧＰＰ  ＬＴＥ（ロング・ターム・イボリューション）は、ＵＭＴＳモバイル電話規格を将来の要件に対処させるよう改善するために、第３世代パートナシップ計画（３ＧＰＰ）内の計画に与えられた名前である。目標は、効率を改善すること、コストを低減すること、サービスを向上すること、新たなスペクトル機会を活用すること、および、他のオープン規格との良好なインテグレーションを含む。ＬＴＥシステムは、イボルブドＵＴＲＡ（ＥＵＴＲＡ）およびイボルブドＵＴＲＡＮ（ＥＵＴＲＡＮ）仕様シリーズに記載されている。
【００１０】
デュアル・モード（またはマルチ・モード）モバイルは、しばしば、シングル・モード・モバイルと比較して、データ送信またはネットワークの複数の形態との互換性を持つモバイル電話を称する。例えば、デュアル・モード電話は、音声およびデータの送信および受信のために、複数の技術をサポートする電話でありうる。これは、無線モバイル電話または有線電話向けでありえる。
【００１１】
１つの態様では、デュアル・モードは、例えば、音声およびデータのために２つのタイプのセル・ラジオを含むモバイル電話のようなネットワーク互換性を称しうる。これらの電話は、ＧＳＭ（登録商標）（グローバル・システム・フォー・モバイル・コミュニケーション）技術とＣＤＭＡ技術との組み合わせを含む。これらは、ユーザ設定にしたがってＧＳＭ電話またはＣＤＭＡ電話として使用されうる。これらのハンドセットは、グローバル電話とも呼ばれ、実質的には、１つのデバイスにおける２つの電話である。ＣＤＭＡ２０００およびＧＳＭによるデュアル・モード電話のこの特定の例の場合、２枚のカード（Ｒ−ＵＩＭおよびＳＩＭ）または１枚のカード（ＳＩＭのみ）の何れかである２つの可能性があり、ここで、Ｒ−ＵＩＭ情報は、モバイル機器（ハンドセット・シェル）に格納される。
【００１２】
別の態様では、デュアル・モード・モバイルは、音声およびデータの通信のために、セルラ・ラジオと非セルラ・ラジオとの両方を使用しうる。また、デュアル・モード電話には、ＧＳＭ／ＣＤＭＡ／Ｗ−ＣＤＭＡを含むセルラ・ラジオを用いるもののみならず、ＩＥＥＥ  ８０２．１１（Ｗｉ−Ｆｉ）ラジオ、ＷｉＭＡＸ、またはＤＥＣＴ（デジタル・エンハンスト・コードレス・テレコミュニケーション）ラジオのようなその他の技術を含むセルラ・ラジオを用いる、２つのタイプがある。広域セルラ・ネットワークに接続された場合、これらの電話は、セルラ電話として使用されうる。適切なＷｉ−ＦｉまたはＤＥＣＴネットワークの範囲内にある場合、電話は、すべての通信目的のために、Ｗｉ−Ｆｉ／ＤＥＣＴ電話として使用されうる。この動作方法は、（ネットワーク・オペレータと加入者との両者のための）コストを低減し、屋内有効通信範囲を高め、データ・アクセス速度を増加させうる。
【００１３】
Ｗｉ−Ｆｉは、無線配信方法（一般的には、スペクトラム拡散またはＯＦＤＭ）によってデバイスをリンクし、通常は、アクセス・ポイントを介してより広いインターネットへの接続を提供する、無線ローカル・エリア・ネットワーク（ＷＬＡＮ）のサブセットである。これによって、ユーザは、ネットワークに接続したままローカルな有効通信範囲エリア内を移動できるようになる。
【００１４】
Worldwide Interoperability for Microwave Accessの頭文字であるＷｉＭＡＸは、固定インターネット・アクセスおよび完全モバイル・インターネット・アクセスを提供するテレコミュニケーション技術である。ＷｉＭＡＸは、（ブロードバンド無線アクセスとも呼ばれる）ＩＥＥＥ  ８０２．１６規格に基づく。“ＷｉＭＡＸ”という名前は、ＷｉＭＡＸフォーラムによって作成された。このフォーラムは、規格の準拠および相互運用を促進するために、２００１年６月に組織された。このフォーラムは、ＷｉＭＡＸを、“ケーブルおよびＤＳＬへの代替として、最後のマイルまでの無線ブロードバンド・アクセスの配信を可能にする規格ベースの技術”として記載している。
【００１５】
一般に、マクロ基地局またはアクセス・ネットワークからフェムトセルへの移動局／アクセス端末（ＭＳ／ＡＴ）のアクティブな（例えば、接続された）ハンドオフの場合、マクロ・システムは、ターゲットのフェムト・アクセス・ポイントをユニークに識別できる必要がある。例えば、１ｘ  改訂Ｅのような従来の解決策は、ＭＳが、ターゲット・フェムトセルから、アクセス・ポイント識別情報メッセージ（ＡＰＩＭ）を読み取ることが必要である。それにも関わらず、ＭＳは、接続中、１ｘページング・チャネルを読むことを要求されず、オーバヘッド・メッセージを処理するために、１ｘページング・チャネルを読み取ることと、非サービス提供セクタからのオーバヘッド・メッセージを復号することとが、個別の順序回路を必要とする。同様の解決策が、３ＧＰＰリリース９仕様におけるＬＴＥ  ＵＥおよびＵＭＴＳの場合にも存在する。ここでは、ユニークなフェムトセル識別子が、システム情報ブロック（ＳＩＢ）で通知される。これはまた、アクティブな接続の切断をもたらす恐れがある。
【発明の概要】
【００１６】
以下は、開示された態様のうちのいくつかの態様の基本的な理解を与えるために、より単純化された概要を提供する。この概要は、広範囲な概観ではなく、重要または決定的な要素を識別することでも、そのような態様の範囲を線引きすることも意図されていない。その目的は、記載された特徴のうちのいくつかの概念を、後に表されるより詳細な記載に対する前置きとして、より簡単な形式で表すことである。
【００１７】
１または複数の態様および対応する開示によれば、さまざまな態様が、例えば、２つの異なるラジオ・アクセス技術（ＲＡＴ）（例えば、１ｘとＨＲＰＤ（高レート・パケット・データ）、または１ｘとＬＴＥ、またはＨＲＰＤとＬＴＥ、またはＵＭＴＳとＬＴＥ）を用いて、マルチ・モードであり、しかも、おのおののＲＡＴと同時に接続する可能性の低い、移動局またはアクセス端末（ＭＳ／ＡＴ）と、フェムトセルとの接続に関して記載されている。ＭＳ／ＡＴにおいて、別のＲＡＴのオーバヘッド・メッセージを読み取ることを含むアイドル・モード手順は、アクティブなハンドオフを容易にするために、接続されたＲＡＴとは独立して引き起こりうる。
【００１８】
１つの態様では、エア・インタフェースによって接続された移動局の、ヘテロジニアスなネットワークにおけるハンドオフの実行のための方法が提供される。移動局は、第１のラジオ・アクセス技術を用いて、ソース・ノードに接続する。移動局は、第２のラジオ・アクセス技術を用いて、ターゲット・ノードからの信号を検出する。移動局は、ソース・ノードからターゲット・ノードへのハンドオフを実行する。
【００１９】
別の態様では、エア・インタフェースによって接続された移動局の、ヘテロジニアスなネットワークにおけるハンドオフを実行するための、少なくとも１つのプロセッサが提供される。第１のモジュールは、第１のラジオ・アクセス技術を用いることを実行するために、移動局によるソース・ノードへの接続を行う。第２のモジュールは、第２のラジオ・アクセス技術を用いて、ターゲット・ノードからの信号を検出する。第３のモジュールは、ソース・ノードからターゲット・ノードへのハンドオフを実行する。
【００２０】
さらなる態様では、エア・インタフェースによって接続された移動局の、ヘテロジニアスなネットワークにおけるハンドオフの実行のためのコンピュータ・プログラム製品が提供される。非一時的なコンピュータ読取可能な記憶媒体が、コードのセットを備える。第１のコードのセットは、第１のラジオ・アクセス技術を用いることを実行するために、コンピュータに対して、移動局によるソース・ノードへの接続を行わせる。第２のコードのセットは、コンピュータに対して、第２のラジオ・アクセス技術を用いて、ターゲット・ノードからの信号を検出させる。第３のコードのセットは、コンピュータに対して、ソース・ノードからターゲット・ノードへのハンドオフを実行させる。
【００２１】
さらなる態様では、エア・インタフェースによって接続された移動局の、ヘテロジニアスなネットワークにおけるハンドオフの実行のための装置が提供される。装置は、第１のラジオ・アクセス技術を用いることを実行するために、移動局によって、ソース・ノードへの接続を行う手段を備える。装置は、第２のラジオ・アクセス技術を用いて、ターゲット・ノードからの信号を検出する手段を備える。装置は、ソース・ノードからターゲット・ノードへのハンドオフを実行する手段を備える。
【００２２】
また別の態様では、エア・インタフェースによって接続された移動局の、ヘテロジニアスなネットワークにおけるハンドオフの実行のための装置が提供される。第１のトランシーバは、第１のラジオ・アクセス技術を用いることを実行するために、移動局によって、ソース・ノードへの接続を行う。第２のトランシーバは、第１のトランシーバが、第１のラジオ・アクセス技術を用いることと同時に、第２のラジオ・アクセス技術を用いて、ターゲット・ノードから信号を検出する。コンピューティング・プラットフォームは、ソース・ノードからターゲット・ノードへのハンドオフを実行する。
【００２３】
さらに追加の態様では、エア・インタフェースによって接続された移動局の、ヘテロジニアスなネットワークにおけるハンドオフの実行のための方法が提供される。ターゲット・ノードは、第１のラジオ・アクセス技術におけるメッセージによってハンドオフ情報を送信する。ここで、ハンドオフ情報は、第２のラジオ・アクセス技術におけるターゲット・ノードに接続するための情報を含んでいる。ターゲット・ノードは、第１のラジオ・アクセス技術におけるメッセージにおけるハンドオフ情報に基づいて、第２のラジオ・アクセス技術におけるソース・ノードから、移動局のアクティブ・コールのハンドオフを、第２のラジオ・アクセス技術で受信する。
【００２４】
１つの態様では、エア・インタフェースによって接続された移動局の、ヘテロジニアスなネットワークにおけるハンドオフの実行のための少なくとも１つのプロセッサが提供される。第１のモジュールは、ターゲット・ノードによって、第１のラジオ・アクセス技術におけるメッセージによってハンドオフ情報を送信する。ここで、ハンドオフ情報は、第２のラジオ・アクセス技術におけるターゲット・ノードに接続するための情報を含んでいる。第２のモジュールは、ターゲット・ノードにおいて、第１のラジオ・アクセス技術におけるメッセージにおけるハンドオフ情報に基づいて、第２のラジオ・アクセス技術におけるソース・ノードから、移動局のアクティブ・コールのハンドオフを、第２のラジオ・アクセス技術で受信する。
【００２５】
別の態様では、エア・インタフェースによって接続された移動局の、ヘテロジニアスなネットワークにおけるハンドオフの実行のためのコンピュータ・プログラム製品が提供される。非一時的なコンピュータ読取可能な媒体は、コードのセットを格納する。第１のコードのセットは、コンピュータに対して、ターゲット・ノードによって、第１のラジオ・アクセス技術におけるメッセージによってハンドオフ情報を送信させる。ここで、ハンドオフ情報は、第２のラジオ・アクセス技術におけるターゲット・ノードに接続するための情報を含んでいる。第２のコードのセットは、コンピュータに対して、ターゲット・ノードにおいて、第１のラジオ・アクセス技術におけるメッセージにおけるハンドオフ情報に基づいて、第２のラジオ・アクセス技術におけるソース・ノードから、移動局のアクティブ・コールのハンドオフを、第２のラジオ・アクセス技術で受信させる。
【００２６】
さらに追加の態様では、エア・インタフェースによって接続された移動局の、ヘテロジニアスなネットワークにおけるハンドオフの実行のための装置が提供される。装置は、ターゲット・ノードによって、第１のラジオ・アクセス技術におけるメッセージによってハンドオフ情報を送信する手段を備える。ここで、ハンドオフ情報は、第２のラジオ・アクセス技術におけるターゲット・ノードに接続するための情報を含んでいる。装置は、ターゲット・ノードにおいて、第１のラジオ・アクセス技術におけるメッセージにおけるハンドオフ情報に基づいて、第２のラジオ・アクセス技術におけるソース・ノードから、移動局のアクティブ・コールのハンドオフを、第２のラジオ・アクセス技術で受信する手段を備える。
【００２７】
さらなる態様では、エア・インタフェースによって接続された移動局の、ヘテロジニアスなネットワークにおけるハンドオフの実行のための装置。第１のトランシーバは、ターゲット・ノードによって、第１のラジオ・アクセス技術におけるメッセージによってハンドオフ情報を送信する。ここで、ハンドオフ情報は、第２のラジオ・アクセス技術におけるターゲット・ノードに接続するための情報を含んでいる。第２のトランシーバは、ターゲット・ノードにおいて、第１のラジオ・アクセス技術におけるメッセージにおけるハンドオフ情報に基づいて、第２のラジオ・アクセス技術におけるソース・ノードから、移動局のアクティブ・コールのハンドオフを、第２のラジオ・アクセス技術で受信する。
【００２８】
前述した目的および関連する目的を達成するために、１または複数の態様は、後に十分説明され、特許請求の範囲で特に指摘される特徴を備える。以下の記述および関連図面は、ある例示的な態様をより詳細に説明し、これら態様の原理が適用されるさまざまな方式のうちの少数を示す。図面とともに考慮された場合、以下の詳細記載から、その他の利点および新規な特徴が明らかになるであろう。そして、開示された態様は、そのようなすべての態様およびそれらの均等物を含むことが意図されている。
【図面の簡単な説明】
【００２９】
本開示の特徴、特性、および利点は、同一の参照符号が全体を通じて同一物に特定している図面とともに考慮された場合、以下に記載する詳細な記述からより明らかになるだろう。
【図１】図１は、移動局が、同時に２つのラジオ・アクセス技術（ＲＡＴ）を使用することにより、マクロ・ノードからフェムト・ノードへのアクティブなハンド・インを実行するヘテロジニアスな通信システムまたはネットワークの概要図を例示する。
【図２Ａ】図２Ａは、エア・インタフェースによってアクティブに接続された移動局のヘテロジニアスなネットワークにおけるハンドオフの実行のための移動局による方法のフロー図を例示する。
【図２Ｂ】図２Ｂは、エア・インタフェースによってアクティブに接続された移動局のヘテロジニアスなネットワークにおけるハンドオフの実行のためのフェムト・ノードによる方法のフロー図を例示する。
【図３Ａ】図３Ａは、アクティブなハンド・インを実行するためのマルチ・モード移動局の電子構成要素の論理グループを備えるシステムのブロック図を例示する。
【図３Ｂ】図３Ｂは、アクティブなハンド・インを実行するためのマルチモード・フェムト・ノードの電子構成要素の論理グループを備えるシステムのブロック図を例示する。
【図４Ａ】図４Ａは、アクティブなハンド・インを実行するためのマルチ・モード移動局の装置のブロック図を例示する。
【図４Ｂ】図４Ｂは、アクティブなハンド・インを実行するためのマルチモード・フェムト・ノードの装置のブロック図を例示する。
【図５】図５は、多元接続無線通信システムの典型的な動作環境の概要図を例示する。
【図６】図６は、移動局およびマクロ・ノードまたはフェムト・ノード間の典型的な複数入力複数出力（ＭＩＭＯ）システムの概要図を例示する。
【図７】図７は、フェムトセル基地局、ピコ・セル基地局、および被サービス提供移動局が分散するセルラ・マクロセルの図解を例示する。
【図８】図８は、マルチ・モード無線通信の概要図を例示する。
【図９】図９は、マルチモード・モバイル・デバイスの概要図を例示する。
【図１０】図１０は、２つの異なるＲＡＴを利用するための方法のフロー図を図示する。
【図１１】図１１は、マルチ・モード・モバイル・デバイスのために第１のＲＡＴでハンドオフ関連情報を通知することと、これらモバイル・デバイスに対して、別のＲＡＴでフェムトセルの識別を可能にすることと、のために構成された典型的な無線通信システムの図解を例示する。
【発明を実施するための形態】
【００３０】
移動局またはアクセス端末（ＭＳ／ＡＴ）の、マクロ基地局またはアクセス・ネットワークからのフェムト・ノードまたはフェムト・アクセス・ポイントとしても知られ、置換可能に使用されるフェムトセルへのアクティブな（すなわち、接続された）ハンドオフのために、マクロ・システムは、ターゲット・フェムト・アクセス・ポイントをユニークに識別できる必要がある。アクティブである（サービス提供する）ラジオ・アクセス技術（ＲＡＴ）のオーバヘッド・チャネルにおいてフェムトセルをユニークに識別し、かつ、マクロ基地局がＭＳ／ＡＴへハンドオフする必要があるとの情報を通知することが可能である一方、ＭＳ／ＡＴは、フェムト・アクセス・ポイントの非サービス提供パイロットからのオーバヘッドを読み取る必要がある。これはまた、サービス提供パイロットにおけるトラフィックの切断をももたらすであろう。
【００３１】
しかしながら、ＭＳ／ＡＴおよびフェムト・アクセス・ポイントは、マルチ・モード（例えば、１ｘおよびＨＲＡＤ、または１ｘおよびＬＴＥ、またはＨＲＰＤおよびｌＴＥ、またはＵＭＴＳおよびＬＴＥ）である可能性が高い。さらに、ＭＳ／ＡＴにおける異なるＲＡＴは、同時に接続される可能性は高くない。したがって、ＭＳ／ＡＴは、接続されたＲＡＴとは独立した別のＲＡＴのオーバヘッド・メッセージを読み取る、アイドル・モード手順を実行しうる。フェムト・アクセス・ポイント（ＡＰ）でサポートされているラジオ技術のおのおのにおけるフェムト・オーバヘッド・メッセージのために、フェムトＡＰは、別のＲＡＴへ接続されたハンドオフを支援するための情報を通知しうる。
【００３２】
現在、ＭＳ／ＡＴは、接続中に１ｘページング・チャネルを読み取ることは要求されておらず、１ｘページング・チャネルを読み取り、非サービス提供セクタからのオーバヘッド・メッセージを復号することは、個別の順序回路が、メッセージを処理することを必要とする。さらに、このような手順はまた、アクティブな接続に対する切断をもたらす可能性が高いであろう。
【００３３】
本イノベーションは、ハンドオフ情報を補足技術で通知することを開示する。これによって、ＭＳ／ＡＴの、マクロ基地局またはアクセス・ネットワークまたはソース・フェムト・アクセス・ポイントから、ターゲット・フェムト・アクセス・ポイントへのアクティブな（すなわち、接続された）ハンドオフがなされるようになる。１つの態様では、ソース・システムは、ターゲット・フェムト・アクセス・ポイントをユニークに識別する必要がある。補足技術は、１つのラジオ受信機における同時受信を排除する異なるセルラ技術（例えば、１ｘおよびＨＲＰＤ（高レート・パケット・データ）、または１ｘおよびＬＴＥ、またはＨＲＰＤおよびＬＴＥ、またはＵＭＴＳおよびＬＴＥ）を含みうる。補足技術はまた、１つのセルラ技術と、例えばＷｉＭＡＸ、Ｗｉ−Ｆｉ、Ｚｉｇｂｅｅ（登録商標）、およびＢＬＵＥＴＯＯＴＨ（登録商標）のような別の非セルラ技術とをも含みうる。
【００３４】
典型的な態様では、ＭＳ／ＡＴは、マルチモード・デバイスの使用されていないモードを用いて、ターゲット・フェムト・アクセス・ポイントからのアクセス・ポイント識別情報メッセージ（ＡＰＩＤＭ）を読み取る。例えば、ＨＲＰＤにおけるＡＰＩＤＭは、１ｘアクティブ・ハンド・インを支援するために、例えばＩＯＳ＿ＭＳＣ＿ＩＤのようなモバイル交換局（ＭＳＣ）識別子（ＩＤ）、または、例えばＩＯＳ＿ＣＥＬＬ＿ＩＤのようなセル識別子、または、パイロット擬似雑音（ＰＮ）のグループを通知しうる。同様に、ＡＰＩＤＭはまた、ＨＲＰＤアクティブ・ハンド・インを通知するために、パイロットＰＮのグループをも通知しうる。
【００３５】
別の典型的な態様では、配列されたＨＲＰＤ／ＬＴＥフェムト・アクセス・ポイントは、ＨＲＰＤサブネット情報を通知するために、ＬＴＥにおいてシステム情報ブロック（ＳＩＢ）を用いて、ハンド・インのために識別されうる。
【００３６】
タイミングに関し、アイドルなＲＡＴにおけるＭＳ／ＡＴによるメッセージの読み取りは、もしもアイドルなＲＡＴがすでにアイドル・ハンドオフを実行しているのであれば、無理なくなされ、例えば、ＭＳ／ＡＴは、ＨＲＰＤにおいてアクティブである場合でさえも１ｘページをモニタする。そうではない場合、ＭＳ／ＡＴは、アクティブＲＡＴにおけるＡＰＰＩＭ（アクセス・ポイント・パイロット情報メッセージ）に基づいて、フェムト・アクセス・ポイント有効通信範囲にあることを認識し、それに応じて、オーバヘッド情報を傍受するためにアイドルなＲＡＴをモニタすることをトリガする。この目的のために、１ｘおよびＨＲＰＤ  ＡＰＩＤＭの両方に、（例えば、ＬＴＥ、ＷｉＭＡＸ、Ｗｉ−Ｆｉ、ＢＬＵＥＴＯＯＴＨ、Ｚｉｇｂｅｅ等のような）補足技術のためのハンドオフ補足情報が含まれる。
【００３７】
さらなる態様では、ＭＳ／ＡＴは、トラフィック接続を確立するために、アイドルなＲＡＴを使用するようにトリガされ、その後、データ・メッセージにより、ハンドオフ情報が通信される。例えば、データ・メッセージは、例えばユニバーサル・プラグ・アンド・プレイ（ＵＰｎＰ）のようなＩＰサービス・ディスカバリ・プロトコルで交換される情報の一部でありうる。
【００３８】
さらなる態様では、ＭＳ／ＡＴは、第２のＲＡＴの復号を実行するために、いくつかのトランシーバ・リソースを、接続されたＲＡＴから借り受ける。このリソースは、レーキ（アンチ・マルチパス）受信機における復調フィンガまたは受信機チェーンでありうる。
【００３９】
さまざまな態様が、図面を参照して記載される。以下の記載では、説明の目的のために、１または複数の態様の完全な理解を提供するために、多くの具体的な詳細が述べられる。しかしながら、これらさまざまな態様は、これら特定の詳細無しで実現されうることが明白である。他の事例では、これら態様の記載を容易にするために、周知の構成およびデバイスが、ブロック図形式で示される。
【００４０】
図１では、ヘテロジニアスな通信システムまたはネットワーク１００において、移動局（ＭＳ）またはデバイス１０２は、無線広域ネットワーク（ＷＷＡＮ）１０６のマクロ・ノード１０４として図示されているソース・セルを介して音声サービスにアクセスしうる。有効通信範囲を拡大するために、または、低コスト・アクセスを提供するために、ＭＳ１０２はまた、バックホール・ネットワーク１１０を介してＷＷＡＮ１０６に接続しているフェムト・ノード１０８として図示されているターゲット・セルからもサービスを受けることができる。１つの態様では、装置は、ヘテロジニアスなネットワーク１００においてハンドオフを実行する。特に、ＭＳ１０２の第１のトランシーバ１１２は、第１のラジオ・アクセス技術（ＲＡＴ）を用いて、マクロ・エア・インタフェース１１４を介してアクティブなセッション１１３を実行するために、マクロ・ノード１０４に接続する。第２のトランシーバ１１６は、第１のトランシーバ１１２が第１のＲＡＴを用いるのと同時に、第２のＲＡＴを用いて、フェムト・ノード１０８からの信号１１８を検出する。コンピューティング・プラットフォーム１２０は、１２２に示すように、マクロ・ノード１０４からフェムト・ノード１０８へのアクティブ・ハンド・イン手順を実行する。
【００４１】
このサポートでは、フェムト・ノード１０８として図示された装置は、第１のＲＡＴを用いて、ローカル・エア・インタフェース１２８を介してフェムトセル１２６にサービス提供する第１のトランシーバ１２４を有している。第２のトランシーバ１３０は、第１のＲＡＴのローカル・エア・インタフェース１２８のための識別情報１３２を第２のＲＡＴで通知する。ネットワーク・インタフェース１３４は、第１のＲＡＴを用いてマクロ・ノード１０４に接続している間、識別情報１３２を受信したＭＳ１０２の、マクロ・ノード１０４からのアクティブな接続のためのハンド・イン手順１２２を実行する。
【００４２】
本開示の利益を用いて、開示されたイノベーションから利益を得るハンドオフは、マクロセル間のハンドオフ、フェムトセル間のハンドオフ、マクロセルからフェムトセルへのハンド・イン、および、フェムトセルからマクロセルへのハンドオフを含みうることが認識されるべきである。
【００４３】
使用時、図２Ａにおいて、第１のラジオ・アクセス技術を用いて、エア・インタフェースを介してソースまたはサービス提供ノードにアクティブに接続されている移動局のヘテロジニアスなネットワークにおけるハンドオフを実行するための動作２００の方法またはシーケンスが図示されている。移動局は、第１のラジオ・アクセス技術を用いて、エア・インタフェースを介したアクティブ・セッションを実行するために、ソース・セル（例えば、マクロ・ノード）に接続する（ブロック２０４）。移動局は、第１のラジオ・アクセス技術を用いることと同時に、第２のラジオ・アクセス技術を用いて、フェムト・ノードからの信号を検出する（ブロック２０６）。移動局は、マクロ・ノードからフェムト・ノードへのアクティブなハンド・インを実行する（ブロック２０８）。
【００４４】
同様に、図２Ｂでは、移動局が、第１のラジオ・アクセス技術を用いて、エア・インタフェースを介してソースまたはサービス提供ノードにアクティブに接続されているヘテロジニアスなネットワークにおいてハンドオフを実行するための動作２５０の方法またはシーケンスが図示されている。ターゲット・セル（例えば、フェムト・ノード）は、第１のラジオ・アクセス技術におけるメッセージで、ハンドオフ情報を送信する（ブロック２５４）。ここで、ハンドオフ情報は、第２のラジオ・アクセス技術でターゲット・セルに接続するための情報を含む。ターゲット・ノードは、第１のラジオ・アクセス技術におけるメッセージにおけるハンドオフ情報に基づいて、ソース・ノードから、移動局のアクティブ・コールのハンドオフを、第２のラジオ・アクセス技術で受信する（ブロック２５６）。
【００４５】
したがって、主題とするイノベーションの態様によって、フェムトＡＰは、（例えば、複数のＲＡＴにおけるマルチ・モード動作が可能なモバイル・デバイスのような）マルチ・モード・モバイル・デバイスのために、第１のラジオ・アクセス技術（ＲＡＴ）で、ハンドオフ関連情報を通知できるようになり、このモバイル・デバイスに対して、（例えば、第２のラジオ・アクセス技術のような）別のＲＡＴにおけるフェムト・アクセス・ポイントを識別させることを可能とする。このため、（例えば、第２のＲＡＴに関連付けられたフェムト・アクセス・ポイントへの接続のような）接続のためのオーバヘッド・メッセージを第２のＲＡＴで独立して読取／復号しながら、（例えば、１ｘ、ＨＲＰＤ等のような）マルチ・モードＭＳ／ＡＴが、第１のＲＡＴで接続されうる。
【００４６】
本イノベーションは、マクロ基地局またはアクセス・ネットワークからのフェムト・アクセス・ポイントへのＭＳ／ＡＴのアクティブな（例えば、接続された）ハンドオフに関連付けられた複雑さを緩和する。ここで、マクロ・システムは、ターゲット・フェムト・アクセス・ポイントをユニークに識別する必要がある。例えば、フェムト・アクセス・ポイントは、第２のＲＡＴにおけるフェムト・アクセス・ポイントのためのハンドオフ情報を含む第１のオーバヘッド・メッセージを第１のＲＡＴで送信しうる。例えば、第２のＲＡＴによるフェムト・アクセス・ポイントのためのハンドオフ情報は、第２のＲＡＴのための識別子およびフェムト・アクセス・ポイントＩＤを含みうる。したがって、モバイル・デバイスは、第１のＲＡＴにおけるフェムト・アクセス・ポイントのためのハンドオフ情報を読み取り、その後、このハンドオフ情報を用いて、第２のＲＡＴにおけるフェムト・アクセス・ポイントに接続する。
【００４７】
さらなる態様によれば、通知されたハンドオフ情報は、フェムト・アクセス・ポイント、例えばフェムト・アクセス・ポイントのＩＰアドレスを識別することに関連しているか、または、例えばゲートウェイのＩＰアドレス等のようなその他のハンドオフ関連情報を含みうる。例えば、第２のＲＡＴにおけるフェムト・アクセス・ポイントのためのハンドオフ情報は、制御メッセージおよび／またはオーバヘッド・メッセージの一部として送信されうる。これらは、第１のＲＡＴにおける移動局へ、フェムト・アクセス・ポイントによって規則的にブロードキャストされうる。例えば、１ｘ  ＲＡＴでは、通知されたこのような情報は、アクセス・ポイント識別情報メッセージ（ＡＰＩＤＭ）に含まれうる。同様に、ＬＴＥでは、通知されたこのような情報は、システム情報ブロック（ＳＩＢ）の一部としてフェムト・アクセス・ポイントによって通知されうる。さらに、ＭＳ／ＡＴは、複数のトランシーバを含みうる。ここでは、おのおののトランシーバは、主題とするイノベーションの態様が実施される場合に、切断を回避するために、それぞれのＲＡＴに割り当てられうる。例えば、ＭＳ／ＡＴは、（例えば、予め定められたしきい値を有する）複数のＲＡＴからのオーバヘッド情報を記録するために、複数のポートを含みうる。
【００４８】
関連する方法によれば、先ず、異なるＲＡＴにおけるマルチ・モード動作が可能なＭＳ／ＡＴが、第１のＲＡＴでフェムト・アクセス・ポイントに接続される。このようなＭＳ／ＡＴは、例えば、第１のＲＡＴにおける実質的に強いパイロット信号の形態をとる信号を、フェムト・アクセス・ポイントから受信しうる。ＭＳ／ＡＴはさらに、フェムト・アクセス・ポイントからのこのような信号で通知された情報に基づいて、フェムト・アクセス・ポイントによってサポートされている第２のＲＡＴに関するオーバヘッド・チャネルで、フェムト・アクセス・ポイントのアクティビティをモニタしうる。ＭＳ／ＡＴは、第２のＲＡＴ情報を復号すると、その後、第２のＲＡＴ情報に基づいてハンドオフ処理を開始しうる。ここで、マクロセルは、どのフェムト・アクセス・ポイントにコンタクトするのかを認識する。
【００４９】
フェムト・アクセス・ポイントによって送信されたおのおののフェムト・オーバヘッド・メッセージのために、別のラジオ・アクセス技術への、接続されたハンドオフを実行するＭＳ／ＡＴを支援する情報が通知されうる。例えば、フェムト・オーバヘッド・メッセージは、１ｘアクティブ・ハンド・インを支援するために、ＩＯＳ＿ＭＳＣ＿ＩＤ、ＩＯＳ＿ＣＥＬＬ＿ＩＤ、または、パイロットＰＮのグループを通知しうるＨＲＰＤにＡＰＩＤＭを含みうる。同様に、ＡＰＩＤＭはまた、ＨＲＰＤアクティブ・ハンド・インを通知するために、パイロットＰＮのグループをも通知しうる。
【００５０】
態様では、アイドルなＲＡＴが、アイドル・ハンドオフを既に実行しているのであれば、ＭＳ／ＡＴは、アイドルなＲＡＴでオーバヘッド・メッセージを無理なく読み取る。典型的な態様では、ＭＳ／ＡＴがＨＲＰＤにおいてアクティブである場合であっても、ＭＳ／ＡＴは、引き続き、１ｘページを求めてモニタすることができる。そうではない場合、ＭＳ／ＡＴは、第１の、アクティブなＲＡＴにおけるＡＰＰＩＭに基づいて、フェムトセル有効通信範囲にあることを認識し、第２の、アイドルなＲＡＴにおけるオーバヘッド・メッセージのモニタをトリガしうる。態様では、主題とするイノベーションは、１ｘおよびＨＲＰＤ  ＡＰＩＤＭの両方において、第２のラジオ・アクセス技術のためのハンドオフ情報を提供する。類似の情報もまたブロードキャスト／提供され、主題とするイノベーションは、同じアクセス・ポイントにおいて、例えば、ＬＴＥ、ＷｉＭＡＸ、Ｗｉ−Ｆｉ、ＺｉｇｂｅｅおよびＢＬＵＥＴＯＯＴＨのような他の技術の一部として組み込まれていることが認識されるべきである。
【００５１】
図３Ａを参照して、第１のラジオ・アクセス技術を用いて、エア・インタフェースを介してソースまたはサービス提供ノードに移動局がアクティブに接続されているヘテロジニアスなネットワークにおいてハンドオフを実行するためのシステム３００が例示されている。例えば、システム３００は、ユーザ機器（ＵＥ）内に少なくとも部分的に存在しうる。システム３００は、コンピューティング・プラットフォーム、プロセッサ、ソフトウェア、またはこれらの組み合わせ（例えば、ファームウェア）によって実現される機能を表す機能ブロックでありうる機能ブロックを含むものとして示されることが認識されるべきである。システム３００は、連携して動作しうる電子構成要素の論理グループ３０２を含む。例えば、論理グループ３０２は、第１のラジオ・アクセス技術を用いて、エア・インタフェースを介してアクティブなセッションを実行するために、移動局によってマクロ・ノードへ接続するための電子構成要素３０４を含みうる。さらに、論理グループ３０２は、第１のラジオ・アクセス技術を用いることと同時に、第２のラジオ・アクセス技術を用いて、フェムト・ノードからの信号を検出するための電子構成要素３０６を含みうる。さらに、論理グループ３０２は、マクロ・ノードからフェムト・ノードへのアクティブなハンド・インを実行するための電子構成要素３０８を含みうる。それに加えて、システム３００は、電子構成要素３０４−３０８に関連付けられた機能を実行するための命令群を保持するメモリ３２０を含みうる。メモリ３２０の外側にあると示されているが、電子構成要素３０４−３０８のうちの１または複数は、メモリ３２０内に存在しうることが理解されるべきである。
【００５２】
図３Ｂを参照して、移動局が、第１のラジオ・アクセス技術を用いて、エア・インタフェースを介してソースまたはサービス提供ノードにアクティブに接続されたヘテロジニアスなネットワークにおいて、ハンドオフを実行するためのシステム３５０が例示されている。例えば、システム３５０は、ネットワーク・エンティティ（例えば、フェムト・アクセス・ポイント、フェムトセル、フェムト・ノード、マクロセル）内に少なくとも部分的に存在しうる。システム３５０は、コンピューティング・プラットフォーム、プロセッサ、ソフトウェア、またはこれらの組み合わせ（例えば、ファームウェア）によって実現される機能を表す機能ブロックでありうる機能ブロックを含むものとして示されることが認識されるべきである。システム３５０は、連携して動作しうる電子構成要素の論理グループ３５２を含む。例えば、論理グループ３５２は、ターゲット・セルによって、第１のラジオ・アクセス技術においてメッセージによってハンドオフ情報を送信するための電子構成要素３５４を含みうる。ここで、ハンドオフ情報は、第２のラジオ・アクセス技術におけるターゲット・ノードに接続するための情報を含んでいる。さらに、論理グループ３５２は、第１のラジオ・アクセス技術におけるメッセージによるハンドオフ情報に基づいて、ソース・ノードから、移動局のアクティブ・コールのハンドオフを、ターゲット・セルにおいて、第２のラジオ・アクセス技術で受信するための電子構成要素３５６を含みうる。それに加えて、システム３５０は、電子構成要素３５４−３５６に関連付けられた機能を実行するための命令群を保持するメモリ３２０を含みうる。メモリ３２０の外側にあると示されているが、電子構成要素３５４−３５６のうちの１または複数は、メモリ３２０内に存在しうることが理解されるべきである。
【００５３】
図４Ａでは、移動局が、第１のラジオ・アクセス技術を用いて、エア・インタフェースを介してソースまたはサービス提供ノードにアクティブに接続されたヘテロジニアスなネットワークにおいて、ハンドオフを実行するための装置４０２が例示されている。第１のラジオ・アクセス技術を用いて、エア・インタフェースを介したアクティブなセッションを実行するために、移動局によって、マクロ・ノードへ接続する手段４０４が提供される。第１のラジオ・アクセス技術を用いることと同時に、第２のラジオ・アクセス技術を用いて、フェムト・ノードから信号を検出する手段４０６が提供される。マクロ・ノードからフェムト・ノードへのアクティブなハンド・インを実行する手段４０８が提供される。
【００５４】
図４Ｂでは、移動局が、第１のラジオ・アクセス技術を用いて、エア・インタフェースを介してソースまたはサービス提供ノードにアクティブに接続されたヘテロジニアスなネットワークにおいて、ハンドオフを実行するための装置４５２が例示されている。この装置は、ターゲット・セルによって、第１のラジオ・アクセス技術で、メッセージによってハンドオフ情報を送信する手段４５４を備える。ここで、ハンドオフ情報は、第２のラジオ・アクセス技術でターゲット・ノードに接続するための情報を含んでいる。装置は、第１のラジオ・アクセス技術におけるメッセージによるハンドオフ情報に基づいて、第２のラジオ・アクセス技術におけるソース・ノードから、移動局のアクティブ・コールのハンドオフを、第２のラジオ・アクセス技術で、ターゲット・セルにおいて受信する手段４５６を備える。
【００５５】
いくつかの態様では、本明細書に記載された技術は、マクロ・スケールの有効通信範囲（例えば、一般にマクロセル・ネットワークと称される３Ｇネットワークのような大規模なセルラ・ネットワーク）およびより小規模な有効通信範囲（例えば、住宅ベースまたはビルディング・ベースのネットワーク環境）を含むネットワーク内に適用されうる。アクセス端末（ＡＴ）は、このようなネットワーク内を移動すると、ある場所においては、マクロ有効通信範囲を提供するアクセス・ノード（ＡＮ）によってサービス提供される一方、別の場所においては、より小規模な有効通信範囲を提供するアクセス・ノードによってサービス提供されうる。いくつかの態様では、増大する容量成長、ビルディング内有効通信範囲、および（例えば、よりロバストなユーザ経験のための）その他のサービスを提供するために、小規模な有効通信範囲ノードが使用されうる。本明細書における説明では、比較的大きなエリアにわたって有効通信範囲を提供するノードは、マクロ・ノードと称されうる。（例えば、住宅のように）比較的小さなエリアにわたって有効通信範囲を提供するノードは、フェムト・ノードと称されうる。マクロ・エリアよりも小さく、フェムト・エリアよりも大きなエリアにわたって有効通信範囲を提供するノードは、（例えば、商業ビルディング内に有効通信範囲を提供する）ピコ・ノードと称されうる。
【００５６】
マクロ・ノードまたはアクセス・ポイント、フェムト・ノードまたはアクセス・ポイント、あるいはピコ・ノードまたはアクセス・ポイントに関連付けられたセルは、マクロセル、フェムトセル、あるいはピコ・セルとそれぞれ称される。いくつかの実施では、おのおののセルがさらに、１または複数のセクタに関連付けられうる（分割されうる）。
【００５７】
さまざまなアプリケーションでは、マクロ・ノード、フェムト・ノード、またはピコ・ノードを称するために、その他の用語が使用されうる。例えば、マクロ・ノードは、アクセス・ノード、基地局、アクセス・ポイント、ｅノードＢ、マクロセル、マクロ・アクセス・ポイント等として構成されうるか、または、称されうる。さらに、フェムト・ノードは、ホーム・ノードＢ、ホームｅノードＢ、アクセス・ポイント基地局、フェムトセル、フェムト・アクセス・ポイント等として構成または参照されうる。
【００５８】
無線多元接続通信システムは、複数の無線アクセス端末のための通信を同時にサポートすることができる。前述したように、おのおのの端末は、順方向リンクおよび逆方向リンクによる送信によって１または複数の基地局と通信することができる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力複数出力（ＭＩＭＯ）システム、あるいは、その他いくつかのタイプのシステムによって確立されうる。
【００５９】
図５に示すように、１つの態様にしたがった多元接続無線通信システムが例示される。アクセス・ポイント（ＡＰ）５００は、１つは５０５および５０６を含み、別の１つは５０８および５１０を含み、さらに別の１つは５１２および５１４を含む複数のアンテナ・グループを含む。図５では、おのおののアンテナ・グループについて２本のアンテナしか示されていない。しかしながら、おのおののアンテナ・グループについて、それより多くのまたはそれより少ないアンテナが利用されうる。アクセス端末（ＡＴ）５１６はアンテナ５１２およびアンテナ５１４と通信する。ここで、アンテナ５１２およびアンテナ５１４は、順方向リンク５２０によってアクセス端末５１６へ情報を送信し、逆方向リンク５１８によってアクセス端末５１６から情報を受信しうる。アクセス端末５２２は、アンテナ５０６、５０８と通信しており、アンテナ５０６、５０８は、順方向リンク５２６でアクセス端末５２２へ情報を送信し、逆方向リンク５２４でアクセス端末５２２から情報を受信する。ＦＤＤ（周波数分割デュプレクス）システムでは、通信リンク５１８、５２０、５２４、５２６は、通信のために、異なる周波数を使用しうる。例えば、順方向リンク５２０は、逆方向リンク５１８によって使用されるものとは異なる周波数を使用しうる。
【００６０】
通信するように設計された領域および／またはアンテナのおのおののグループは、しばしば、アクセス・ポイントのセクタと称される。態様では、アンテナ・グループは各々、アクセス・ポイント５００によってカバーされた領域のセクタ内のアクセス端末に通信するように設計される。
【００６１】
順方向リンク５２０、５２６による通信では、アクセス・ポイント５００の送信アンテナは、別のアクセス端末５１６、５２２のための順方向リンクの信号対雑音比を改善するためにビームフォーミングを利用する。さらに、有効範囲領域にわたってランダムに散在するアクセス端末へ送信するためにビームフォーミングを用いるアクセス・ポイントは、アクセス端末の全てへ単一のアンテナによって送信するアクセス・ポイントよりも、近隣のセル内のアクセス端末に対して少ない干渉しかもたらさない。
【００６２】
アクセス・ポイントは、端末と通信するために使用される固定局であり、アクセス・ポイント、ノードＢ、あるいはその他幾つかの専門用語でも称されうる。アクセス端末はまた、ユーザ機器（ＵＥ）、無線通信デバイス、端末、あるいはその他のいくつかの用語で称されうる。
【００６３】
ＭＩＭＯシステムは、データ送信に関し、複数（ＮＴ個）の送信アンテナと、複数（ＮＲ個）の受信アンテナとを使用する。ＮＴ個の送信アンテナおよびＮＲ個の受信アンテナによって形成されるＭＩＭＯチャネルは、空間チャネルとも称されるＮＳ個の独立チャネルへ分割されうる。ここで、ＮＳ≦｛ＮＴ，ＮＲ｝である。ＮＳ個の独立チャネルのおのおのは、ディメンションに相当する。ＭＩＭＯシステムは、複数の送信アンテナおよび受信アンテナによって形成された追加のディメンションが利用される場合、向上された性能（例えば、より高いスループット、および／または、より高い信頼性）を与えうる。
【００６４】
ＭＩＭＯシステムは、時分割デュプレクス（ＴＤＤ）および周波数分割デュプレクス（ＦＤＤ）をサポートしうる。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントは、アクセス・ポイントにおいて複数のアンテナが利用可能である場合、順方向リンクで、ビームフォーミング利得を送信できるようになる。
【００６５】
本明細書における教示は、少なくとも１つの他のノードと通信するためにさまざまな構成要素を適用するノード（例えば、デバイス）へ組み込まれうる。図６は、ノード間の通信を容易にするために適用されうるいくつかのサンプル構成要素を図示する。特に、図６は、ＭＩＭＯシステム６００の無線デバイス６１０（例えば、アクセス・ポイント）と無線デバイス６５０（例えば、アクセス端末）とを例示する。デバイス６１０では、多くのデータ・ストリームのトラフィック・データが、データ・ソース６１２から送信（ＴＸ）データ・プロセッサ６１４へ提供される。
【００６６】
いくつかの態様では、各データ・ストリームが、それぞれの送信アンテナを介して送信される。ＴＸデータ・プロセッサ６１４は、符号化されたデータを提供するために、データ・ストリームについて選択された特定の符号化スキームに基づいて、各データ・ストリームのためのトラフィック・データをフォーマットし、符号化し、インタリーブする。
【００６７】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。各データ・ストリームの多重化されたパイロットおよび符号化されたデータは、その後、変調シンボルを提供するためにデータ・ストリームについて選択された特定の変調スキーム（例えば、ＢＰＳＫ（バイナリ・フェーズ・シフト・キーイング）、ＱＰＳＫ（直交フェーズ・シフト・キーイング）、Ｍ−ＰＳＫ（複数またはＭアレイ・フェーズ・シフト・キーイング）、Ｍ−ＱＡＭ（複数直交振幅変調））に基づいて変調（すなわち、シンボル・マップ）される。おのおののデータ・ストリームのデータ・レート、符号化、および変調は、プロセッサ６３０によって実行される命令群によって決定される。データ・メモリ６３２は、デバイス６１０のプロセッサ６３０またはその他の構成要素によって使用されるプログラム・コード、データ、およびその他の情報を格納しうる。
【００６８】
すべてのデータ・ストリームの変調シンボルは、（例えば、ＯＦＤＭのために）変調シンボルをさらに処理するＴＸ  ＭＩＭＯプロセッサ６２０に提供される。ＴＸ  ＭＩＭＯプロセッサ６２０はその後、ＮＴ個の変調シンボル・ストリームを、ＮＴ個の送信機（ＴＭＴＲ）６２２ａ乃至６２２ｔへ提供する。いくつかの態様では、ＴＸ  ＭＩＭＯプロセッサ６２０は、データ・ストリームのシンボルへ、および、このシンボルの送信がなされるアンテナへビームフォーミング重みを適用する。
【００６９】
各トランシーバ６２２は、それぞれのシンボル・ストリームを受信し、処理することによって、１または複数のアナログ信号を提供し、さらに、これらアナログ信号を調整（例えば、増幅、フィルタ、およびアップコンバート）することにより、ＭＩＭＯチャネルによる送信に適切な変調信号が提供される。トランシーバ６２２ａ乃至６２２ｔからのＮＴ個の変調信号は、その後、ＮＴ個のアンテナ６２４ａ乃至６２４ｔからそれぞれ送信される。
【００７０】
デバイス６５０では、送信された調整された信号が、ＮＲ個のアンテナ６５２Ａ乃至６５２Ｒによって受信され、各アンテナ６５２からの受信された信号が、それぞれトランシーバ（ＸＣＶＲ）６５４Ａ乃至６５４Ｒへ提供される。各トランシーバ６５４は、受信したそれぞれの信号を調整（例えば、フィルタ、増幅、およびダウンコンバート）し、調整された信号をデジタル化してサンプルを取得し、これらサンプルをさらに処理することにより、対応する「受信された」シンボル・ストリームが提供される。
【００７１】
その後、受信（ＲＸ）データ・プロセッサ６６０は、ＮＲ個のシンボル・ストリームをＮＲ個のトランシーバ６５４から受信し、受信したこれらシンボル・ストリームを、特定の受信機処理技術に基づいて処理することによって、ＮＴ個の「検出された」シンボル・ストリームが提供される。ＲＸデータ・プロセッサ６６０は、その後、検出されたおのおののシンボル・ストリームを復調し、デインタリーブし、復号して、そのデータ・ストリームのためのトラフィック・データを復元する。ＲＸデータ・プロセッサ６６０による処理は、デバイス６１０におけるＴＸデータ・プロセッサ６１４およびＴＸ  ＭＩＭＯプロセッサ６２０によって実行されるものに対して相補的である。
【００７２】
１つの態様では、１つの受信機チェーンが、別の技術のオーバヘッドを復号するために借用されうる。特に、第２のラジオ・アクセス技術を用いるターゲット・ノードから信号を検出することは、第１のラジオ・アクセス技術によって使用されている受信機チェーンを利用することによって、移動局において信号を少なくとも部分的に復調することによって達成されうる。
【００７３】
プロセッサ６７０は、上述したように、どの事前符号化行列を使用するのかを定期的に決定する。プロセッサ６７０は、行列インデクス部およびランク値部を備えた逆方向リンク・メッセージを規定することができる。データ・メモリ６７２は、デバイス６５０のプロセッサ６７０またはその他の構成要素によって使用されるプログラム・コード、データ、およびその他の情報を格納しうる。
【００７４】
逆方向リンク・メッセージは、通信リンクおよび／または受信されたデータ・ストリームに関するさまざまなタイプの情報を備えうる。その後、逆方向リンク・メッセージは、ＴＸデータ・プロセッサ６３８によって処理され、変調器６８０によって変調され、トランシーバ６５４ａ乃至６５４ｒによって調整され、デバイス６１０へ送り戻される。ＴＸデータ・プロセッサ６３８はまた、データ・ソース６３６から、多くのデータ・ストリームのトラフィック・データを受信する。
【００７５】
デバイス６１０では、デバイス６５０からの変調信号が、アンテナ６２４によって受信され、トランシーバ６２２によって調整され、復調器（ＤＥＭＯＤ）６４０によって復調され、ＲＸデータ・プロセッサ６４２によって処理されることにより、デバイス６５０によって送信された逆方向リンク・メッセージが抽出される。その後、プロセッサ６３０が、ビームフォーミング重みを決定するためにどの事前符号化行列を使用するのかを決定し、抽出されたメッセージを処理する。
【００７６】
１つの態様では、第２のラジオ・アクセス技術を用いるターゲット・ノードから信号を検出することは、第１のラジオ・アクセス技術によって使用されているレーキ受信機における復調フィンガを利用することによって、移動局において信号を少なくとも部分的に復調することによって達成されうる。
【００７７】
図６はまた、本明細書で教示されたような干渉制御動作を実行する１または複数の構成要素を含みうる通信構成要素を例示する。例えば、干渉（ＩＮＴＥＲ）制御構成要素６９０は、本明細書で教示されたように、プロセッサ６３０、および／または、デバイス６１０のその他の構成要素と協調し、（例えば、デバイス６５０のような）他のデバイスとの間で信号を送信／受信する。同様に、干渉制御構成要素６９２は、プロセッサ６７０、および／または、デバイス６５０のその他の構成要素と連携し、（例えば、デバイス６１０のような）他のデバイスとの間で信号を送信／受信する。おのおののデバイス６１０、６５０について、記述された構成要素のうちの複数の機能が、単一の構成要素によって提供されうることが認識されるべきである。例えば、単一の処理構成要素が、干渉制御構成要素６９０およびプロセッサ６３０の機能を提供し、単一の処理構成要素が、干渉制御構成要素６９２およびプロセッサ６７０の機能を提供しうる。
【００７８】
図７に示す例において、基地局７１０ａ、７１０ｂ、７１０ｃは、それぞれマクロセル７０２ａ、７０２ｂ、７０２ｃのためのマクロ基地局でありうる。基地局７１０ｘは、端末７２０ｘと通信するピコ・セル７０２ｘのためのピコ基地局でありうる。基地局７１０ｙは、端末７２０ｙと通信するフェムトセル７０２ｙのためのフェムト基地局でありうる。単純化のために図７では図示されていないが、マクロセルは、端部においてオーバラップしうる。ピコ・セルおよびフェムトセルは、（図７に示されるように）マクロセル内に位置しうるか、または、マクロセルおよび／またはその他のセルとオーバラップしうる。
【００７９】
無線ネットワーク７００はまた、例えば、端末７２０ｚと通信する中継局７１０ｚのような中継局を含みうる。中継局は、データおよび／またはその他の情報の送信を上流局から受信し、データおよび／またはその他の情報の送信を下流局へ送信する局である。上流局は、基地局、別の中継局、または端末でありうる。下流局は、端末、別の中継局、または基地局でありうる。中継局はまた、他の端末のための送信を中継する端末でもありうる。中継局は、低再使用プリアンブルを送信および／または受信しうる。例えば、中継局は、ピコ基地局と類似の方式で低再使用プリアンブルを送信し、端末と類似の方式で低再使用プリアンブルを受信しうる。
【００８０】
ネットワーク・コントローラ７３０は、基地局のセットに接続しており、これら基地局に対して調整および制御を提供しうる。ネットワーク・コントローラ７３０は、単一のネットワーク・エンティティであるか、複数のネットワーク・エンティティの集合でありうる。ネットワーク・コントローラ７３０は、バックホールを介して基地局７１０と通信しうる。バックホール・ネットワーク通信７３４は、このような分散型アーキテクチャを用いる基地局７１０ａ−７１０ｃ間のポイント・トゥ・ポイント通信を容易にしうる。基地局７１０ａ−７１０ｃはまた、例えば、ダイレクトに、または、無線または有線のバックホールを介して非ダイレクトに、互いに通信しうる。
【００８１】
無線ネットワーク７００は、（図７に示されていない）マクロ基地局のみを含むホモジニアスなネットワークでありうる。無線ネットワーク７００はまた、例えば、マクロ基地局、ピコ基地局、ホーム基地局、中継局等のような異なるタイプの基地局を含むヘテロジニアスなネットワークでありうる。これら異なるタイプの基地局は、異なる送信電力レベル、異なる有効通信範囲エリア、および、無線ネットワーク７００内の干渉に対する異なるインパクトを有しうる。例えば、マクロ基地局は、高い送信電力レベル（例えば、２０ワット）を有する一方、ピコ基地局およびフェムト基地局は、低い送信電力レベル（例えば、９ワット）を有しうる。本明細書に記載された技術は、ホモジニアスなネットワークおよびヘテロジニアスなネットワークのために使用されうる。
【００８２】
端末７２０は、無線ネットワーク７００全体にわたって分布し、おのおのの端末は、据置式または移動式でありうる。端末は、アクセス端末（ＡＴ）、移動局（ＭＳ）、ユーザ機器（ＵＥ）、加入者ユニット、局等とも称されうる。端末は、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局等でありうる。端末は、ダウンリンクおよびアップリンクによって基地局と通信しうる。ダウンリンク（すなわち、順方向リンク）は、基地局から端末への通信リンクを称し、アップリンク（すなわち、逆方向リンク）は、端末から基地局への通信リンクを称する。
【００８３】
端末は、マクロ基地局、ピコ基地局、フェムト基地局、および／または、その他のタイプの基地局と通信可能でありうる。図７では、２つの矢印を持つ実線が、端末と、ダウンリンクおよび／またはアップリンクで端末にサービス提供するように指定された基地局であるサービス提供基地局との間の所望の送信を示す。２つの矢印を持つ破線は、端末と基地局との間の干渉送信を示す。干渉基地局とは、ダウンリンクで端末に対して干渉をもたらす、および／または、アップリンクで端末からの干渉を観察する基地局である。
【００８４】
無線ネットワーク７００は、同期動作または非同期動作を支援しうる。同期動作の場合、基地局は、同じフレーム・タイミングを有し、異なる基地局からの送信は、時間的に揃えられうる。非同期動作の場合、基地局は、異なるフレーム・タイミングを有し、異なる基地局からの送信は、時間的に揃わない。例えば全地球測位システム（ＧＰＳ）のような同期ソースにアクセスせず、屋内で展開されうるピコ基地局およびフェムト基地局の場合、非同期動作がより一般的でありうる。
【００８５】
１つの態様では、システム容量を向上するために、それぞれの基地局７１０ａ−７１０ｃに対応する有効通信範囲エリア７０２ａ、７０２ｂ、７０２ｃが、複数の小さなエリア（例えば、エリア７０４ａ、７０４ｂ、７０４ｃ）に分割されうる。これら小さなエリア７０４ａ、７０４ｂ、７０４ｃのおのおのは、ぞれぞれのベース・トランシーバ・サブシステム（図示しないＢＴＳ）によってサービス提供されうる。本明細書および当該技術分野で一般的に用いられているように、用語「セクタ」は、この用語が使用されるコンテキストに依存して、ＢＴＳおよび／またはその有効範囲エリアを称しうる。一例では、１つの例で、セル７０２ａ、７０２ｂ、７０２ｃにおけるセクタ７０４ａ、７０４ｂ、７０４ｃは、基地局７１０において、（図示しない）アンテナのグループによって形成されうる。ここで、アンテナのおのおののグループは、セル７０２ａ，７０２ｂ、または７０２ｃの一部における端末７２０との通信を担当する。例えば、セル７０２ａにサービス提供する基地局７１０は、セクタ７０４ａに対応する第１のアンテナ・グループと、セクタ７０４ｂに対応する第２のアンテナ・グループと、セクタ７０４ｃに対応する第３のアンテナ・グループとを有しうる。しかしながら、本明細書で開示されたさまざまな態様は、セクタ化されたセルおよび／またはセクタ化されていないセルを有するシステムにおいて使用されうることが認識されるべきである。さらに、任意の数のセクタ化されたセル、および／または、セクタ化されていないセルを有するすべての適切な無線通信ネットワークが、添付する特許請求の範囲のスコープ内に入ることが意図されていることが認識されるべきである。簡略のために、本明細書で使用される用語「基地局」は、セルにサービス提供する基地局のみならず、セクタにサービス提供する基地局をも称しうる。本明細書で使用されるように、分離されたリンク・シナリオにおけるダウンリンク・セクタは、近隣セクタであることが認識されるべきである。以下の記載は一般に、簡略のために、各端末が、１つのサービス提供アクセス・ポイントと通信しているシステムに関連しているが、端末は、任意の数のサービス提供アクセス・ポイントと通信しうることが認識されるべきである。
【００８６】
いくつかの態様では、（クローズド加入者グループ・ホーム・ノードＢとも称されうる）制限されたフェムト・ノードは、制限されたアクセス端末のプロビジョンされたセットへとサービスを提供するノードである。必要な場合、このセットは、一時的または永久に拡張されうる。いくつかの態様では、クローズされた加入者グループ（ＣＳＧ）は、アクセス端末の共通のアクセス制御リストを共有するアクセス・ノード（例えば、フェムト・ノード）のセットとして定義されうる。領域内のすべてのフェムト・ノード（または制限されたすべてのフェムト・ノード）が動作するチャネルは、フェムト・チャネルと称されうる。
【００８７】
所与のフェムト・ノードと、所与のアクセス端末との間に、さまざまな関係が存在しうる。例えば、アクセス端末の観点から、オープンなフェムト・ノードは、制限された関連付けを持たないフェムト・ノードと称されうる。制限されたフェムト・ノードは、（例えば、関連付けおよび／または登録について制限されたような）ある方式で制限されたフェムト・ノードを称しうる。ホーム・フェムト・ノードは、アクセス端末がアクセスし動作することが許可されたフェムト・ノードを称しうる。ゲスト・フェムト・ノードは、アクセス端末がアクセスし動作することを一時的に許可されたフェムト・ノードを称しうる。外部フェムト・ノードは、恐らく緊急事態（例えば、９１１コール）を除いて、アクセス端末がアクセスして動作することが許可されないフェムト・ノードを称しうる。
【００８８】
制限されたフェムト・ノードの観点から、ホーム・アクセス端末は、制限されたフェムト・ノードにアクセスすることが許可されたアクセス端末を称しうる。ゲスト・アクセス端末は、制限されたフェムト・ノードへの一時的なアクセスを持つアクセス端末を称しうる。外部アクセス端末は、恐らくは、例えば９１１コールのような緊急事態を除いて、制限されたフェムト・ノードへアクセスする許可を持たないアクセス端末（例えば、制限されたフェムト・ノードに登録する証明書または許可を持たないアクセス端末）を称しうる。
【００８９】
便宜上、本明細書における開示は、フェムト・ノードのコンテキストで、さまざまな機能を説明している。しかしながら、大規模な有効通信範囲エリアのために、ピコ・ノードが、同じまたは同様の機能を提供しうることが認識されるべきである。例えば、ピコ・ノードが制限され、所与のアクセス端末のためにホーム・ピコ・ノードが定義される等である。
【００９０】
図８は、本明細書で示されたさまざまな態様にしたがう無線通信システム８００が例示されていることを示す。ＭＳ／ＡＴ８０４は、ＲＡＴ１およびＲＡＴ２の両方においてマルチ・モード動作を行うことが可能なマルチモード・モバイル・デバイスでありうる。このようなＭＳ／ＡＴ８０４は、ＲＡＴ１においてフェムトセルに接続され、このようなアクティブ接続モードの間は、さらに、接続（例えば、第２のＲＡＴに関連付けられたフェムトセルへの接続）のために、第２のＲＡＴで、オーバヘッド・メッセージを独立して読取／復号しうる。ＲＡＴ１通知構成要素８２１およびＲＡＴ２通知構成要素８２２は、ＵＥ／ＡＴの接続のために、ターゲット・フェムト・アクセス・ポイントをユニークに識別しうる。
【００９１】
ＲＡＴ１通知構成要素８２１およびＲＡＴ２通知構成要素８２２はおのおの、例えば、フェムトセルのＩＰアドレス、ゲートウェイのＩＰアドレス等のようなマクロセルを識別することに関する、ハンドオフ関連情報を提供しうる。このようなものは、フェムトセルによって、第１のＲＡＴにおける移動局へ規則的にブロードキャストされうる制御メッセージおよびオーバヘッドの一部として、第２のＲＡＴに関する情報を含めることによって提供されうる。例えば、１ｘ  ＲＡＴでは、アクセス・ポイント識別情報メッセージ（ＡＰＩＤＭ）が、このように通知された情報を含みうる。同様に、ＬＴＥ  ＲＡＴでは、通知されたこのような情報が、システム情報ブロック（ＳＩＢ）の一部として、フェムトセルによって通知されうる。ＵＥ／ＡＴは、先ずＲＡＴ２に接続され、その後、ＲＡＴ１へのアクティブなハンドオフを望むので、ＲＡＴ１およびＲＡＴ２は、置換可能であると見なされうることが認識されるべきである。
【００９２】
システム８００は、１または複数のセクタにおいて、互いに、および／または、１または複数のモバイル・デバイス８０４との間で、無線通信信号の受信、送信、反復等を行う１または複数のフェムトセル／基地局８０２を備える。おのおのの基地局８０２は、複数の送信機チェーンおよび受信機チェーン（例えば、各送信アンテナおよび受信アンテナについて１つ）を備えうる。それらおのおのは、信号の送信および受信に関連付けられた複数の構成要素（例えば、プロセッサ、変調器、マルチプレクサ、復調器、デマルチプレクサ、アンテナ等）を備えうる。おのおののモバイル・デバイス８０４は、１または複数の送信機チェーンおよび受信機チェーンを備える。これらは、複数入力複数出力（ＭＩＭＯ）システムのために利用されうる。おのおのの送信機チェーンおよび受信機チェーンは、当業者によって認識されるように、信号の送信および受信に関連付けられた複数の構成要素（例えば、例えば、プロセッサ、変調器、マルチプレクサ、復調器、デマルチプレクサ、アンテナ等）を備えうる。
【００９３】
図９は、主題とするイノベーションのさらなる態様にしたがうマルチ・モード・モバイル・デバイスを例示する。マルチ・モード・モバイル・デバイス９００は、ＲＡＴ１でフェムトセルに接続されており、同時に、ＲＡＴ２でハンドオフ関連情報を受信しうる。このため、マルチ・モードＭＳ／ＡＴ（例えば、１ｘ、ＨＲＰＤ等）は、接続（例えば、第２のＲＡＴに関連付けられたフェムトセルへの接続）のために第２のＲＡＴでオーバヘッド・メッセージを独立して読取／復号しながら、第１のＲＡＴによって接続されうる。これは、マクロ基地局またはアクセス・ネットワークからフェムトセルへのＭＳ／ＡＴのアクティブな（例えば、接続された）ハンドオフに関連付けられた複雑さを緩和する。ここで、マクロ・システムは、ターゲット・フェムト・アクセス・ポイントをユニークに識別する必要がある。さらに、モバイル・デバイス／アクセス端末９００は、主題とするイノベーションの態様が実施される場合に、切断を回避するために、おのおのがそれぞれのＲＡＴに割り当てられた複数のトランシーバ９０２、９２２、９２４、９１６を含みうる。例えば、ＡＴ／モバイル端末は、（例えば、予め定められたしきい値を有する）複数のＲＡＴのオーバヘッドを記録するために、複数のポートを含みうる。
【００９４】
モバイル・デバイス９００は、例えば、受信アンテナ（図示せず）から信号を受信し、受信した信号に対して典型的な動作（例えば、フィルタ、増幅、ダウンコンバート等）を実行し、これら調整された信号をデジタル化して、サンプルを取得する受信機９０２を備える。受信機９０２は、例えばＭＭＳＥ（最小平均平方誤り）受信機であり、受信したシンボルを復調し、それらをチャネル推定のためにプロセッサ９０６へ送る復調器９０４を備えうる。例によれば、受信機９０２は、基地局の識別の後に、通知された信号を取得しうる。プロセッサ９０６は、受信機９０２によって受信された情報の分析、および／または、送信機９１６による送信のための情報の生成に特化されたプロセッサ、モバイル・デバイス９００の１または複数の構成要素を制御するプロセッサ、および／または、受信機９０２によって受信された情報を分析し、送信機９１６による送信のための情報を生成し、モバイル・デバイス９００の１または複数の構成要素を制御するプロセッサでありうる。
【００９５】
モバイル・デバイス９００は、プロセッサ９０６に動作可能に接続されたメモリ９０８を備えうる。このメモリ９０８は、送信されるべきデータ、受信されたデータ、本明細書に記載されたさまざまな動作および機能を実行することに関連するその他任意の適切な情報を格納しうる。メモリ９０８は、例えば、無線通信システムにおける基地局によって通知されるアンテナ数を適合させることに関連する取得された信号を分析することに関連付けられたプロトコルおよび／またはアルゴリズムを格納しうる。アンテナ数を決定する際におけるそのような適合機能によって、基地局は、総じて、利用されている無線システム全体の効率的な動作のために、基地局（単数または複数）が、レガシーＵＥおよび新たなＵＥ（例えば、ＬＴＥ−Ａ）の要件をインテリジェントにバランスさせることを可能にする。さらに、メモリ９０８は、新たなユーザのパフォーマンス向上を、レガシー・ユーザのパフォーマンス低下の相殺としてバランスさせることに関連付けられたプロトコルおよび／またはアルゴリズムを格納しうる。
【００９６】
本開示の利益をもって、当業者によって、本明細書に記載されたデータ・ストア（例えば、メモリ９０８）は、揮発性メモリであるか、あるいは不揮発性メモリであるか、あるいは、揮発性メモリと不揮発性メモリとの両方を含みうることが認識されるべきである。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ（登録商標））のような多くの形態で利用可能である。主題となるシステムおよび方法のメモリ９０８は、限定される訳ではないが、これらおよびその他任意の適切なタイプのメモリを備えることが意図される。プロセッサ９０６と別に示されているが、変調器９１４は、プロセッサ９０６または多くのプロセッサ（図示せず）の一部でありうることが認識されるべきである。
【００９７】
図１０は、主題とするイノベーションの特定の態様にしたがう関連する方法１０００を例示する。まず、１０１０において、異なるＲＡＴにおけるマルチ・モード動作が可能なモバイル・デバイスが、ＲＡＴ１によってフェムトセルに接続されている。このようなモバイル・デバイスは、例えば、ＲＡＴ１における実質的に強いパイロットの形態として、フェムトセルから信号を引き出しうる。モバイル・デバイスはさらに、１０２０において、フェムトセルからのこのような信号で通知された情報に基づいて、ＲＡＴ２に関連するオーバヘッドで、フェムトセルのアクティビティをモニタしうる。モバイルは、ＲＡＴ２情報を復号すると、１０３０において、ハンドオフ処理を実質的に開始しうる。ここで、マクロセルは、ＲＡＴ２接続のために、どのフェムトセルにコンタクトするのかを認識するだろう。
【００９８】
図１１は、マルチ・モード・モバイル・デバイスのために、ハンドオフ関連情報を、第１のラジオ・アクセス技術（ＲＡＴ）で通知し、このようなモバイル・デバイスが、別のＲＡＴにおけるフェムトセルを識別することを可能にするように構成された典型的な無線通信システム１１００を例示する。それゆえ、マルチ・モードＭＳ／ＡＴ（例えば、１ｘ、ＨＲＰＤ等）は、接続（例えば、第２のＲＡＴに関連付けられたフェムトセルへの接続）のために第２のＲＡＴでオーバヘッド・メッセージを独立して読取／復号しながら、第１のＲＡＴで接続される方法１１０１を実行しうる。
【００９９】
システム１１００は、例えばマクロセル１１０２ａ−１１０２ｇのような複数のセル１１０２のために通信を提供する。マクロセル１１０２ａ−１１０２ｇはそれぞれ、対応するアクセス・ポイント１１０４（例えば、アクセス・ポイント１１０４ａ−１１０４ｇ）によってサービス提供される。セル１１０２ａ−１１０２ｇはそれぞれ、１または複数のセクタにさらに分割されうる。（デバイス１１０６ａ−１１０６ｋを含む）さまざまなデバイス１１０６が、システム１１００全体にわたって分散されている。デバイス１１０６はそれぞれ、例えば、デバイス１１０６がアクティブであるか、デバイス１１０６がソフト・ハンドオフにあるかに依存して、所与の瞬間において、順方向リンク（ＦＬ）および／または逆方向リンク（ＲＬ）によって、１または複数のアクセス・ポイント１１０４と通信することができる。無線通信システム１１００は、広い地理的領域にわたってサービスを提供することができ、例えば、マクロセル１１０２ａ−１１０２ｇは、例えば、第２のＲＡＴへのアクティブなハンドオフのために、フェムトセルＩＤおよび識別子のような情報を通知している間、近隣の数ブロックをカバーすることができる。
【０１００】
前述の説明によって、無線通信システムにおいて動作可能である装置が提供される。特に、無線通信システムにおいて、モバイル・ユニットをマルチ・モードで動作させる手段が提供される。第１のラジオ・アクセス技術（ＲＡＴ）から第２のＲＡＴへのハンドオフを、第１のＲＡＴへのモバイル・ユニットのアクティブな接続を適用することによって通知する手段が提供される。典型的な態様では、装置はさらに、モバイル・ユニットへの第２のＲＡＴに関連付けられたフェムトセルをユニークに識別する手段を備えうる。
【０１０１】
別の態様では、無線通信システムにおいて使用される方法が提供される。モバイル・ユニットは、無線通信システム内でマルチ・モードで操作される。そして、第１のラジオ・アクセス技術（ＲＡＴ）へのモバイル・ユニットのアクティブな接続によって、第１のＲＡＴから第２のＲＡＴへのハンドオフが通知される。典型的な態様では、電子デバイスが、この方法を実行する。
【０１０２】
さらなる態様は、コードを備えるコンピュータ読取可能な媒体を備えるコンピュータ・プログラム製品に関する。第１のコードのセットが、コンピュータに対して、無線通信システムにおいてマルチ・モードでモバイル・ユニットを動作させる。第２のコードのセットは、コンピュータに対して、モバイル・ユニットの第１のラジオ・アクセス技術（ＲＡＴ）へのアクティブな接続によって、第１のＲＡＴから第２のＲＡＴへのハンドオフを通知させる。
【０１０３】
さらなる態様では、無線通信システムにおいて動作可能な装置が提供される。この目的のために、プロセッサは、無線通信システムにおけるモバイル・ユニットのためにマルチ・モード動作を提供する。そして、モバイル・ユニットの第１のラジオ・アクセス技術（ＲＡＴ）へのアクティブな接続を適用することによって、第１のＲＡＴから第２のＲＡＴへのハンドオフを通知する。プロセッサには、データを格納するためのメモリが接続される。
【０１０４】
当業者であればさらに、本明細書で開示された態様に関連して記載された例示的なさまざまな論理ブロック、モジュール、回路、およびアルゴリズム・ステップは、電子的なハードウェア、コンピュータ・ソフトウェア、あるいはこれら両方の組み合わせとして実現されることを認識するであろう。ハードウェアとソフトウェアとの相互置換性を明確に説明するために、さまざまな例示的な構成要素、ブロック、モジュール、回路、およびステップが、それらの機能の観点から一般的に記載された。それら機能がハードウェアとしてまたはソフトウェアとして実現されるかは、特定のアプリケーションおよびシステム全体に課せられている設計制約に依存する。当業者であれば、特定のアプリケーションおのおのに応じて変化する方式で、上述した機能を実現することができる。しかしながら、この適用判断は、本発明の範囲からの逸脱をもたらすものと解釈されるべきではない。
【０１０５】
本明細書で使用されるように、用語「構成要素」、「モジュール」、「システム」等は、ハードウェア、ファームウェア、ハードウェアとソフトウェアとの組み合わせ、ソフトウェア、または実行中のソフトウェアの何れかであるコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、サーバ上で実行中のアプリケーションと、サーバとの両方が構成要素となりうる。１または複数の構成要素は、プロセスおよび／または実行スレッド内に存在し、構成要素は、１つのコンピュータに局在化されるか、および／または、２つ以上のコンピュータに分散されうる。
【０１０６】
「典型的である」という単語は「例、事例、あるいは実例として役立つ」ことを意味するために本明細書で使用される。本明細書で「典型的」と記載された任意の態様または設計は、必ずしも、他の態様または設計に対して好適であるとも、有利であるとも解釈される必要はない。
【０１０７】
さまざまな態様または特徴が、多くのデバイス、構成要素、モジュール等を含むシステムの観点から示されるだろう。さまざまなシステムが、追加の構成要素、モジュール等を含むことができるか、および／または、図面に関連して説明されたデバイス、構成要素、モジュール等の必ずしも全てを含んでいる訳ではないことが理解され、認識されるべきである。これらアプローチの組み合わせもまた使用されうる。本明細書に開示されたさまざまな態様は、タッチ・スクリーン・ディスプレイ技術および／またはマウス−キーボード・タイプのインタフェースを利用するデバイスを含む電子デバイス上で実行されうる。このようなデバイスの例は、コンピュータ（デスクトップおよびモバイル）、スマート・フォン、携帯情報端末（ＰＤＡ）、および有線および無線の両方のその他の電子デバイスを含む。
【０１０８】
さらに、本明細書に開示された態様に関連して記載された例示的なさまざまな論理ブロック、モジュール、および回路が、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）またはその他のプログラマブル・ロジック・デバイス、ディスクリート・ゲートまたはトランジスタ・ロジック、ディスクリート・ハードウェア構成要素、または、本明細書に記載された機能を実行するように設計されたこれら任意の組み合わせとともに実装または実行される。汎用プロセッサは、マイクロ・プロセッサでありうるが、代わりに、従来技術によるプロセッサ、コントローラ、マイクロコントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【０１０９】
さらに、１または複数のバージョンは、開示された態様を実現するために、コンピュータを制御するソフトウェア、ファームウェア、ハードウェア、またはこれら任意の組み合わせを生成する標準的なプログラミング技術および／またはエンジニアリング技術を用いた方法、装置、または製造物品として実現されうる。本明細書で使用される用語「製造物品」（または、その代わりに、「コンピュータ・プログラム製品」）は、任意のコンピュータ読取可能デバイス、キャリア、または媒体からアクセスすることが可能なコンピュータ・プログラムを含むことが意図される。例えば、コンピュータ読取可能な媒体は、限定される訳ではないが、  磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、カード、スティック）を含みうる。さらに、電子メールの送信または受信の際、あるいは、例えばインターネットまたはローカル・エリア・ネットワーク（ＬＡＮ）のようなネットワークにアクセスする際に使用されるようなコンピュータ読取可能電子データを搬送するために、搬送波が適用されうることが認識されるべきである。もちろん、当業者であれば、開示された態様のスコープから逸脱することなく多くの変形が、この構成とされうることを認識するだろう。
【０１１０】
さらに、さまざまな態様が、モバイル・デバイスに関して本明細書で記載される。モバイル・デバイスはまた、システム、加入者ユニット、加入者局、移動局、モバイル、モバイル・デバイス、セルラ・デバイス、マルチモード・デバイス、遠隔局、遠隔端末、アクセス端末、ユーザ端末、ユーザ・エージェント、ユーザ・デバイス、またはユーザ機器とも称されうる。加入者局は、セルラ電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、または、無線モデムや、処理デバイスとの無線通信を容易にする類似のメカニズムに接続されたその他の処理デバイスでありうる。
【０１１１】
本明細書で開示された態様に関連して記述された方法やアルゴリズムのステップは、ハードウェアによって直接的に、プロセッサによって実行されるソフトウェア・モジュールによって、または、これらの組み合わせによって具体化される。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に収納されうる。典型的な記憶媒体は、この記憶媒体から情報を読み取ったり、この記憶媒体に情報を書き込むことができるプロセッサのようなプロセッサに接続される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリート部品として存在しうる。
【０１１２】
開示された態様の上記説明は、いかなる当業者であっても、本開示を製造または使用できるように適用される。これらの態様へのさまざまな変形は、当業者に容易に明らかであって、本明細書で定義された一般原理は、本開示の精神または範囲から逸脱することなく、他の実施形態に適用されうる。このように、本開示は、本明細書で示された実施形態に限定されるものではなく、本明細書で開示された原理および新規な特徴に一致した最も広い範囲に相当することが意図されている。
【０１１３】
前述された典型的なシステムを考慮して、開示された主題にしたがって実現される方法が、さまざまなフロー図を参照して記述された。説明を単純にする目的のために、これら方法は、一連のブロックとして図示および説明されているが、権利主張される主題は、これらブロックの順序によって限定されず、いくつかのブロックは、本明細書に図示および記載されたものと別の順序で、および／または、他のブロックと同時に生じうることが理解および認識されるべきである。さらに、本明細書に記載された方法を実施するために、必ずしも例示されたすべてのブロックが必要とされる訳ではない。それに加えて、本明細書で開示される方法は、これら方法をコンピュータへ伝送および転送することを容易にするために、製造物品に格納されることが可能であることが認識されるべきである。本明細書で使用される用語である製造物品は、任意のコンピュータ読取可能デバイス、キャリア、または媒体からアクセスすることが可能なコンピュータ・プログラムを含むことが意図される。
【０１１４】
本明細書において参照によって組み込まれるべきであると言われるいずれの特許、出版物、またはその他の開示資料の全体または一部は、本明細書において、組み込まれた資料が、既存の定義、命令、または、本開示で述べられたその他の開示資料とコンフリクトしない程度に組み込まれていることが認識されるべきである。それゆえ、必要な程度まで、本明細書に明確に記載された開示は、参照によって本明細書に組み込まれたコンフリクトするあらゆる資料の代わりになる。本明細書において参照によって組み込まれると言われているものの既存の定義、記述、または、本明細書に記載されたその他の開示資料とコンフリクトする何れの資料またはその一部は、組み込まれた資料と既存の開示資料との間でのコンフリクトを引き起こさないという程度まで組み込まれるだろう。
【図１】
2013502177.tif 000003
【図２Ａ】
2013502177.tif 000004
【図２Ｂ】
2013502177.tif 000005
【図３Ａ】
2013502177.tif 000006
【図３Ｂ】
2013502177.tif 000007
【図４Ａ】
2013502177.tif 000008
【図４Ｂ】
2013502177.tif 000009
【図５】
2013502177.tif 000010
【図６】
2013502177.tif 000011
【図７】
2013502177.tif 000012
【図８】
2013502177.tif 000013
【図９】
2013502177.tif 000014
【図１０】
2013502177.tif 000015
【図１１】
2013502177.tif 000016
【国際調査報告】
2013502177.tif 000017
2013502177.tif 000018
2013502177.tif 000019